(57)【要約】      （修正有）【課題】他のアクセスポイントへの干渉を緩和するように設定または調整され得るアクセスポイントの１つまたは複数のパラメータを決定するための方法および装置を提供する。【解決手段】システム１００は、ワイヤレスネットワークおよび／またはその１つまたは複数の構成要素へのアクセスを受信するためのサービングアクセスポイント１０４と通信することができるデバイス１０２を備える。システム１００はまた、デバイス１０２が潜在的に干渉することがある他のアクセスポイント１０６および／または１０８をも備えることができる。サービングアクセスポイント１０４は、アクセスポイント１０６および／または１０８への干渉を緩和するために、１つまたは複数の通信パラメータに少なくとも部分的に基づいてＲｏＴ（ライズオーバサーマル）しきい値を設定する。【選択図】図１
2014239498.tif 000002
【特許請求の範囲】
【請求項１】
フェムトセルアクセスポイントのライズオーバサーマル（ＲｏＴ）しきい値を設定するための方法であって、
１つまたは複数のアクセスポイントに対応する１つまたは複数のパラメータを受信することと、
前記１つまたは複数のパラメータに少なくとも部分的に基づいて前記フェムトセルアクセスポイントのＲｏＴしきい値を決定することと、
前記フェムトセルアクセスポイントにおいて前記ＲｏＴしきい値を設定することとを備える、方法。
【請求項２】
前記１つまたは複数のパラメータを前記受信することが、前記フェムトセルアクセスポイントへの少なくとも１つのデバイスの第１の経路損失測定値を取得することと、第２のアクセスポイントへの前記少なくとも１つのデバイスの第２の経路損失測定値を取得することとを備える、請求項１に記載の方法。
【請求項３】
前記１つまたは複数のパラメータを前記受信することが、少なくとも別のデバイスから前記フェムトセルアクセスポイントへの追加の第１の経路損失測定値を取得することと、前記少なくとも別のデバイスから前記第２のアクセスポイントへの追加の第２の経路損失測定値を取得することを備え、前記ＲｏＴしきい値を前記決定することがさらに、前記追加の第１の経路損失測定値と前記追加の第２の経路損失測定値との間の差の関数に少なくとも部分的に基づく、請求項２に記載の方法。
【請求項４】
前記１つまたは複数の前記パラメータを受信することが、１つまたは複数の追加のアクセスポイントへの前記少なくとも１つのデバイスの１つまたは複数の追加の経路損失測定値を取得することをさらに備え、前記ＲｏＴを前記決定することが、前記第１の経路損失測定値と、前記第２の経路損失測定値および前記１つまたは複数の追加の経路損失測定値のうちの最小値との間の差の関数に少なくとも部分的に基づく、請求項２に記載の方法。
【請求項５】
前記少なくとも１つのデバイスが、前記フェムトセルアクセスポイント内にコロケートされたネットワークリスニングモジュールである、請求項２に記載の方法。
【請求項６】
少なくとも前記第１の経路損失測定値と前記第２の経路損失測定値とをトレーニング期間の一部として報告するように前記少なくとも１つのデバイスを構成することをさらに備える、請求項２に記載の方法。
【請求項７】
前記フェムトセルアクセスポイントと通信しているデバイスの最大送信電力を決定することと、
前記最大送信電力に少なくとも部分的に基づいて別のＲｏＴしきい値を決定することとをさらに備える、請求項１に記載の方法。
【請求項８】
前記ＲｏＴしきい値を前記設定することが、前記ＲｏＴしきい値を、前記ＲｏＴしきい値および前記別のＲｏＴしきい値のうちの最小値として設定することを備える、請求項７に記載の方法。
【請求項９】
前記１つまたは複数のパラメータを前記受信することが、マクロセル内の前記フェムトセルアクセスポイントのロケーションを受信することを備え、前記ＲｏＴしきい値を前記決定することが、前記マクロセル内の前記フェムトセルアクセスポイントと１つまたは複数の他のアクセスポイントとの間で計算された距離に少なくとも部分的に基づく、請求項１に記載の方法。
【請求項１０】
フェムトセルアクセスポイントのライズオーバサーマル（ＲｏＴ）しきい値を設定するための装置であって、
１つまたは複数のアクセスポイントに対応する１つまたは複数のパラメータを受信することと、
前記１つまたは複数のパラメータに少なくとも部分的に基づいて前記フェムトセルアクセスポイントのＲｏＴしきい値を決定することと、
前記フェムトセルアクセスポイントにおいて前記ＲｏＴしきい値を設定することとを行うように構成された少なくとも１つのプロセッサと、
前記少なくとも１つのプロセッサに結合されたメモリとを備える、装置。
【請求項１１】
前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備える、請求項１０に記載の装置。
【請求項１２】
前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、前記少なくとも１つのプロセッサがさらに、前記追加の第１の経路損失測定値と前記追加の第２の経路損失測定値との間の差の関数に少なくとも部分的に基づく、請求項１１に記載の装置。
【請求項１３】
前記少なくとも１つのプロセッサが、１つまたは複数の追加のアクセスポイントへの前記少なくとも１つのデバイスの１つまたは複数の追加の経路損失測定値を取得するようにさらに構成され、前記１つまたは複数のパラメータが前記１つまたは複数の追加の経路損失測定値を備える、請求項１１に記載の装置。
【請求項１４】
前記少なくとも１つのデバイスが、前記フェムトセルアクセスポイントにコロケートされたネットワークリスニングモジュールである、請求項１１に記載の装置。
【請求項１５】
フェムトセルアクセスポイントのライズオーバサーマル（ＲｏＴ）しきい値を設定するための装置であって、
１つまたは複数のアクセスポイントに対応する１つまたは複数のパラメータを受信するための手段と、
前記１つまたは複数のパラメータに少なくとも部分的に基づいて前記フェムトセルアクセスポイントのＲｏＴしきい値を決定するための手段と、
前記フェムトセルアクセスポイントにおいて前記ＲｏＴしきい値を設定するための手段とを備える、装置。
【請求項１６】
前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備える、請求項１５に記載の装置。
【請求項１７】
前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、決定するための前記手段が、さらに前記追加の第１の経路損失測定値と前記追加の第２の経路損失測定値との間の差の関数に少なくとも部分的に基づいて前記ＲｏＴしきい値を決定する、請求項１６に記載の装置。
【請求項１８】
受信するための前記手段が、１つまたは複数の追加のフェムトセルアクセスポイントへの前記少なくとも１つのデバイスの１つまたは複数の追加の経路損失測定値をさらに取得し、前記１つまたは複数のパラメータが前記１つまたは複数の追加の経路損失測定値をさらに備える、請求項１６に記載の装置。
【請求項１９】
第１のアクセスポイントまたは前記第２のアクセスポイントからの１つまたは複数の信号を処理するための手段をさらに備え、前記少なくとも１つのデバイスが、処理するための前記手段を備える、請求項１６に記載の装置。
【請求項２０】
フェムトセルアクセスポイントのライズオーバサーマル（ＲｏＴ）しきい値を設定するためのコンピュータプログラム製品であって、
少なくとも１つのコンピュータに、１つまたは複数のアクセスポイントに対応する１つまたは複数のパラメータを受信させるためのコードと、
前記少なくとも１つのコンピュータに、前記１つまたは複数のパラメータに少なくとも部分的に基づいて前記フェムトセルアクセスポイントのＲｏＴしきい値を決定させるためのコードと、
前記少なくとも１つのコンピュータに、前記フェムトセルアクセスポイントにおいて前記ＲｏＴしきい値を設定させるためのコードとを備えるコンピュータ可読媒体を備える、コンピュータプログラム製品。
【請求項２１】
前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備える、請求項２０に記載のコンピュータプログラム製品。
【請求項２２】
前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、前記少なくとも１つのコンピュータに決定させるための前記コードが、さらに前記追加の第１の経路損失測定値と前記追加の第２の経路損失測定値との間の差の関数に少なくとも部分的に基づいて前記ＲｏＴしきい値を決定する、請求項２１に記載のコンピュータプログラム製品。
【請求項２３】
前記コンピュータ可読媒体が、前記少なくとも１つのコンピュータに、１つまたは複数の追加のアクセスポイントへの前記少なくとも１つのデバイスの１つまたは複数の追加の経路損失測定値を取得させるためのコードをさらに備え、前記１つまたは複数のパラメータが前記１つまたは複数の追加の経路損失測定値を備える、請求項２１に記載のコンピュータプログラム製品。
【請求項２４】
前記少なくとも１つのデバイスが、前記フェムトセルアクセスポイントにコロケートされたネットワークリスニングモジュールである、請求項２１に記載のコンピュータプログラム製品。
【請求項２５】
フェムトセルアクセスポイントのライズオーバサーマル（ＲｏＴ）しきい値を設定するための装置であって、
１つまたは複数のアクセスポイントに対応する１つまたは複数のパラメータを受信するためのパラメータ受信構成要素と、
前記１つまたは複数のパラメータに少なくとも部分的に基づいて前記フェムトセルアクセスポイントのＲｏＴしきい値を決定するためのＲｏＴしきい値決定構成要素と、
前記フェムトセルアクセスポイントにおいて前記ＲｏＴしきい値を設定するためのＲｏＴしきい値設定構成要素とを備える、装置。
【請求項２６】
前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備え、前記１つまたは複数のパラメータが前記第１の経路損失測定値と前記第２の経路損失測定値を備える、請求項２５に記載の装置。
【請求項２７】
前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、前記ＲｏＴしきい値決定構成要素が、さらに前記追加の第１の経路損失測定値と前記追加の第２の経路損失測定値との間の差の関数に少なくとも部分的に基づいて前記ＲｏＴしきい値を決定する、請求項２６に記載の装置。
【請求項２８】
前記パラメータ受信構成要素が、１つまたは複数の追加のフェムトセルアクセスポイントへの前記少なくとも１つのデバイスの１つまたは複数の追加の経路損失測定値をさらに取得し、前記１つまたは複数のパラメータが前記１つまたは複数の追加の経路損失測定値をさらに備える、請求項２６に記載の装置。
【請求項２９】
第１のアクセスポイントまたは前記第２のアクセスポイントからの１つまたは複数の信号を処理するためのネットワークリスニングモジュール（ＮＬＭ）構成要素をさらに備え、前記少なくとも１つのデバイスがＮＬＭ構成要素を備える、請求項２６に記載の装置。
【請求項３０】
少なくとも前記第１の経路損失測定値と前記第２の経路損失測定値とをトレーニング期間の一部として報告するように前記少なくとも１つのデバイスを構成するための測定要求構成要素ことをさらに備える、請求項２６に記載の装置。
【請求項３１】
前記パラメータ受信構成要素が、前記フェムトセルアクセスポイントと通信しているデバイスの最大送信電力を決定し、前記ＲｏＴしきい値決定構成要素が、前記最大送信電力に少なくとも部分的に基づいて別のＲｏＴしきい値を決定する、請求項２５に記載の装置。
【請求項３２】
前記ＲｏＴしきい値決定構成要素が、前記ＲｏＴしきい値を、前記ＲｏＴしきい値を前記ＲｏＴしきい値および前記別のＲｏＴしきい値のうちの最小値として決定する、請求項３１に記載の装置。
【請求項３３】
前記１つまたは複数のパラメータが、マクロセル内の前記フェムトセルアクセスポイントのロケーションを備え、前記ＲｏＴしきい値決定構成要素が、前記マクロセル内の前記フェムトセルアクセスポイントと１つまたは複数の他のアクセスポイントとの間で計算された距離に少なくとも部分的に基づいて前記ＲｏＴしきい値を決定する、請求項２５に記載の装置。
【請求項３４】
干渉を決定することに基づいてアクセスポイントのパラメータを調整するための方法であって、
１つまたは複数のアクセスポイントの最も強い送信電力を検出することと、
前記最も強い送信電力がフェムトセルアクセスポイントにおいて利用される送信電力を超えるかどうかを決定することと、
前記最も強い送信電力が前記送信電力を超えるかどうかに少なくとも部分的に基づいて、前記フェムトセルアクセスポイントの推定雑音フロアを調整することとを備える、方法。
【請求項３５】
セル外干渉のレベルを推定することをさらに備え、前記推定雑音フロアを前記調整することがさらに、セル外干渉の前記レベルに少なくとも部分的に基づく、請求項３４に記載の方法。
【請求項３６】
セル外干渉の前記レベルを前記推定することが、ある時間期間中に雑音を測定することを備える、請求項３５に記載の方法。
【請求項３７】
前記最も強い送信電力が前記送信電力を超えるかどうかに少なくとも部分的に基づいて、前記フェムトセルアクセスポイントのライズオーバサーマルしきい値を調整することをさらに備える、請求項３４に記載の方法。
【請求項３８】
前記推定雑音フロアを前記調整することが、ソフトハンドオーバにおいて異なるアクセスポイントによってサービスされる所与のデバイスについて、前記フェムトセルアクセスポイントの前記推定雑音フロアを調整することを備える、請求項３４に記載の方法。
【請求項３９】
ソフトハンドオーバにおいて前記アクセスポイントによってサービスされるデバイスの識別子を要求することと、
前記要求に少なくとも部分的に基づいて、前記異なるアクセスポイントから前記所与のデバイスの識別子を受信することとをさらに備える、請求項３８に記載の方法。
【請求項４０】
前記少なくとも１つのデバイスとの通信のために前記推定雑音フロアをエンフォースすることをさらに備える、請求項３４に記載の方法。
【請求項４１】
干渉を決定することに基づいてアクセスポイントのパラメータを調整するための装置であって、
１つまたは複数のアクセスポイントの最も強い送信電力を検出することと、
前記最も強い送信電力がフェムトセルアクセスポイントにおいて利用される送信電力を超えるかどうかを決定することと、
前記最も強い送信電力が前記送信電力を超えるかどうかに少なくとも部分的に基づいて、前記フェムトセルアクセスポイントの雑音フロアを調整することとを行うように構成された少なくとも１つのプロセッサと、
前記少なくとも１つのプロセッサに結合されたメモリとを備える、装置。
【請求項４２】
前記少なくとも１つのプロセッサが、セル外干渉のレベルを推定するようにさらに構成され、前記少なくとも１つのプロセッサが、さらにセル外干渉の前記レベルに少なくとも部分的に基づいて前記雑音フロアを調整する、請求項４１に記載の装置。
【請求項４３】
前記少なくとも１つのプロセッサは、前記最も強い送信電力が前記送信電力を超えるかどうかに少なくとも部分的に基づいて、前記フェムトセルアクセスポイントのライズオーバサーマルしきい値を調整するようにさらに構成された、請求項４１に記載の装置。
【請求項４４】
前記少なくとも１つのプロセッサが、ソフトハンドオーバにおいて異なるアクセスポイントによってサービスされる所与のデバイスについて、前記フェムトセルアクセスポイントの前記雑音フロアを調整する、請求項４１に記載の方法。
【請求項４５】
前記少なくとも１つのプロセッサが、ソフトハンドオーバにおいて前記アクセスポイントによってサービスされるデバイスの識別子を要求し、前記要求に少なくとも部分的に基づいて、前記異なるアクセスポイントから前記所与のデバイスの識別子を受信するようにさらに構成された、請求項４４に記載の装置。
【請求項４６】
干渉を決定することに基づいてアクセスポイントのパラメータを調整するための装置であって、
１つまたは複数のアクセスポイントの最も強い送信電力を検出するための手段と、
前記最も強い送信電力が前記フェムトセルアクセスポイントの送信電力を超えるかどうかを決定することに少なくとも部分的に基づいて、フェムトセルアクセスポイントの雑音フロアを調整するための手段とを備える、装置。
【請求項４７】
検出するための前記手段が、セル外干渉のレベルをさらに推定し、調整するための前記手段が、さらにセル外干渉の前記レベルに少なくとも部分的に基づいて前記雑音フロアを調整する、請求項４６に記載の装置。
【請求項４８】
前記最も強い送信電力が前記送信電力を超えるかどうかに少なくとも部分的に基づいて、前記フェムトセルアクセスポイントのライズオーバサーマルしきい値を調整するための手段をさらに備える、請求項４６に記載の装置。
【請求項４９】
調整するための前記手段が、ソフトハンドオーバにおいて異なるアクセスポイントによってサービスされる所与のデバイスについて、前記フェムトセルアクセスポイントの前記雑音フロアを調整する、請求項４６に記載の装置。
【請求項５０】
ソフトハンドオーバにおいて前記アクセスポイントによってサービスされるデバイスの識別子を要求し、前記要求に少なくとも部分的に基づいて、前記異なるアクセスポイントから前記所与のデバイスの識別子を受信するための手段をさらに備える、請求項４９に記載の装置。
【請求項５１】
干渉を決定することに基づいてアクセスポイントのパラメータを調整するためのコンピュータプログラム製品であって、
少なくとも１つのコンピュータに、１つまたは複数のアクセスポイントの最も強い送信電力を検出させるためのコードと、
前記少なくとも１つのコンピュータに、前記最も強い送信電力がフェムトセルアクセスポイントにおいて利用される送信電力を超えるかどうかを決定させるためのコードと、
前記少なくとも１つのコンピュータに、前記最も強い送信電力が前記送信電力を超えるかどうかに少なくとも部分的に基づいて、前記フェムトセルアクセスポイントの雑音フロアを調整させるためのコードとを備えるコンピュータ可読媒体を備える、コンピュータプログラム製品。
【請求項５２】
前記コンピュータ可読媒体が、前記少なくとも１つのコンピュータにセル外干渉のレベルを推定させるためのコードをさらに備え、前記少なくとも１つのコンピュータに調整させるための前記コードが、さらにセル外干渉の前記レベルに少なくとも部分的に基づいて前記雑音フロアを調整する、請求項５１に記載のコンピュータプログラム媒体。
【請求項５３】
前記コンピュータ可読媒体は、前記少なくとも１つのコンピュータに、前記最も強い送信電力が前記送信電力を超えるかどうかに少なくとも部分的に基づいて、前記フェムトセルアクセスポイントのライズオーバサーマルしきい値を調整させるためのコードをさらに備える、請求項５１に記載のコンピュータプログラム媒体。
【請求項５４】
前記少なくとも１つのコンピュータに調整させるための前記コードが、ソフトハンドオーバにおいて異なるアクセスポイントによってサービスされる所与のデバイスについて、前記フェムトセルアクセスポイントの前記雑音フロアを調整する、請求項５１に記載のコンピュータプログラム媒体。
【請求項５５】
前記コンピュータ可読媒体が、前記少なくとも１つのコンピュータに、ソフトハンドオーバにおいて前記アクセスポイントによってサービスされるデバイスの識別子を要求させ、前記要求に少なくとも部分的に基づいて、前記異なるアクセスポイントから前記所与のデバイスの識別子を受信させるためのコードをさら備える、請求項５４に記載のコンピュータプログラム媒体。
【請求項５６】
干渉を決定することに基づいてアクセスポイントのパラメータを調整するための装置であって、
１つまたは複数のアクセスポイントの最も強い送信電力を検出するための干渉決定構成要素と、
前記最も強い送信電力がフェムトセルアクセスポイントの送信電力を超えるかどうかを決定することに少なくとも部分的に基づいて、前記フェムトセルアクセスポイントの雑音フロアを調整するための雑音フロア調整構成要素とを備える、装置。
【請求項５７】
前記干渉決定構成要素がセル外干渉のレベルをさらに推定し、前記雑音フロア調整構成要素が、さらにセル外干渉の前記レベルに少なくとも部分的に基づいて前記雑音フロアを調整する、請求項５６に記載の装置。
【請求項５８】
前記干渉決定構成要素が、少なくとも部分的に、ある時間期間中に雑音を測定することによってセル外干渉の前記レベルを推定する、請求項５７に記載の装置。
【請求項５９】
前記最も強い送信電力が前記送信電力を超えるかどうかに少なくとも部分的に基づいて、前記フェムトセルアクセスポイントのＲｏＴしきい値を調整するためのライズオーバサーマル（ＲｏＴ）しきい値調整構成要素をさらに備える、請求項５６に記載の方法。
【請求項６０】
前記雑音フロア調整構成要素が、ソフトハンドオーバにおいて異なるアクセスポイントによってサービスされる所与のデバイスについて、前記フェムトセルアクセスポイントの前記雑音フロアを調整する、請求項５６に記載の装置。
【請求項６１】
ソフトハンドオーバ（ＳＨＯ）において前記アクセスポイントによってサービスされるデバイスの識別子を要求し、前記要求に少なくとも部分的に基づいて、前記異なるアクセスポイントから前記所与のデバイスの識別子を受信するためのＳＨＯデバイス要求構成要素をさらに備える、請求項６０に記載の装置。
【請求項６２】
前記雑音フロア調整構成要素が、前記雑音フロアを少なくとも１つのデバイスに報告する、請求項５６に記載の装置。
【発明の詳細な説明】
【背景技術】
【０００１】
米国特許法第１１９条に基づく優先権の主張
本特許出願は、本出願の譲受人に譲渡され、参照により本明細書に明確に組み込まれる、２０１０年６月２９日に出願された「ADAPTIVE RISE-OVER-THERMAL (ROT) THRESHOLD AND NOISE FLOOR ADJUSTMENT FOR FEMTOCELL UPLINK INTERFERENCE MANAGEMENT」と題する仮出願第６１／３５９，７６２号、ならびに本出願の譲受人に譲渡され、参照により本明細書に明確に組み込まれる、２０１０年９月２８日を出願された「ADAPTIVE RISE-OVER-THERMAL (ROT) THRESHOLD AND NOISE FLOOR ADJUSTMENT FOR FEMTOCELL UPLINK INTERFERENCE MANAGEMENT」と題する仮出願第６１／３８７，３５９号の優先権を主張する。
【技術分野】
【０００２】
以下の説明は、一般にワイヤレスネットワーク通信に関し、より詳細には、フェムトセル展開における干渉を緩和することに関する。
【０００３】
ワイヤレス通信システムは、たとえば、音声、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、第３世代パートナーシッププロジェクト（３ＧＰＰ（登録商標））、３ＧＰＰロングタームエボリューション（ＬＴＥ）、ウルトラモバイルブロードバンド（ＵＭＢ）、エボリューションデータオプティマイズド（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／またはアクセスポイントは他のアクセスポイントと）通信することができる。
【０００５】
従来の基地局を補うために、追加の制限付きアクセスポイントを展開して、モバイルユニットによりロバストなワイヤレスカバレージを与えることができる。たとえば、増分キャパシティの増大、よりリッチなユーザエクスペリエンス、屋内または他の特定の地理的カバレージなどのために、（たとえば、一般に、集合的にＨ（ｅ）ＮＢと呼ばれるホームノードＢまたはホームｅＮＢ、フェムトアクセスポイント、フェムトセル、ピコセル、マイクロセルなどと呼ばれることがある）ワイヤレス中継局および低電力基地局を展開することができる。いくつかの構成では、モバイル事業者のネットワークへのバックホール（backhaul）リンクを与えることができる、ブロードバンド接続（たとえば、デジタル加入者回線（ＤＳＬ）ルータ、ケーブルまたは他のモデムなど）を介して、そのような低電力基地局をインターネットに接続することができる。したがって、たとえば、ユーザの自宅内に低電力基地局を展開して、ブロードバンド接続を介して１つまたは複数のデバイスにモバイルネットワークアクセスを与えることができる。
【０００６】
この点について、そのような低電力基地局の展開は、多くの場合、無計画であり、したがって、基地局および／またはそれと通信しているモバイルデバイスは、他の低電力基地局、マクロセル基地局、または近傍の他のデバイスへの干渉を生じ得る。他のアクセスポイントとの干渉を防止または低減する、低電力基地局の送信電力を設定するための、低電力基地局のための干渉緩和機構が存在する。しかしながら、低電力アクセスポイントによってサービスされるデバイスは、依然として、他のアクセスポイントへの干渉を生じ得る。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の実施形態およびそれの対応する開示に従って、近傍の１つまたは複数の他のアクセスポイントとの干渉を緩和するために、フェムトセルアクセスポイントのパラメータを変更することに関して、様々な態様について説明する。たとえば、フェムトセルアクセスポイントがその内で通信するマクロセルのアクセスポイントおよび／または１つまたは複数の他のフェムトセルアクセスポイントへの干渉を緩和するために、そのマクロセルに関係する１つまたは複数のパラメータに少なくとも部分的に基づいて、フェムトセルアクセスポイントのライズオーバサーマル（ＲｏＴ）しきい値を設定することができる。一例では、フェムトセルアクセスポイントと通信している１つまたは複数のデバイスから受信した１つまたは複数の経路損失（pathloss）測定値（たとえば、フェムトセルアクセスポイント、１つまたは複数のマクロセルまたは他のフェムトセルアクセスポイントなどへの経路損失）に少なくとも部分的に基づいて、ＲｏＴしきい値を決定することができる。その上、別の例では、フェムトセルアクセスポイントは、１つまたは複数の他のアクセスポイントまたはそれと通信しているデバイスからの干渉を緩和するために、（たとえば、１つまたは複数の他のアクセスポイントの信号強度、セル外干渉などを検出することに少なくとも部分的に基づいて）雑音フロア（noise floor）を増加させることができる。
【０００９】
一例によれば、フェムトセルアクセスポイントのＲｏＴしきい値を設定するための方法が提供される。本方法は、１つまたは複数のアクセスポイントに対応する１つまたは複数のパラメータを受信することと、１つまたは複数のパラメータに少なくとも部分的に基づいてフェムトセルアクセスポイントのＲｏＴしきい値を決定することとを含む。本方法はまた、フェムトセルアクセスポイントにおいてＲｏＴしきい値を設定することを含む。
【００１０】
別の態様では、フェムトセルアクセスポイントのＲｏＴしきい値を設定するための装置が提供される。本装置は、１つまたは複数のアクセスポイントに対応する１つまたは複数のパラメータを受信することと、１つまたは複数のパラメータに少なくとも部分的に基づいてフェムトセルアクセスポイントのＲｏＴしきい値を決定することとを行うように構成された少なくとも１つのプロセッサを含む。少なくとも１つのプロセッサは、フェムトセルアクセスポイントにおいてＲｏＴしきい値を設定するようにさらに構成される。本装置はまた、少なくとも１つのプロセッサに結合されたメモリを含む。
【００１１】
さらに別の態様では、１つまたは複数のアクセスポイントに対応する１つまたは複数のパラメータを受信するための手段と、１つまたは複数のパラメータに少なくとも部分的に基づいてフェムトセルアクセスポイントのＲｏＴしきい値を決定するための手段とを含む、フェムトセルアクセスポイントのＲｏＴしきい値を設定するための装置が提供される。本装置は、フェムトセルアクセスポイントにおいてＲｏＴしきい値を設定するための手段をさらに含む。
【００１２】
さらに、別の態様では、少なくとも１つのコンピュータに、１つまたは複数のアクセスポイントに対応する１つまたは複数のパラメータを受信させるためのコードと、少なくとも１つのコンピュータに、１つまたは複数のパラメータに少なくとも部分的に基づいてフェムトセルアクセスポイントのＲｏＴしきい値を決定させるためのコードとを有するコンピュータ可読媒体を含む、フェムトセルアクセスポイントのＲｏＴしきい値を設定するためのコンピュータプログラム製品が提供される。本コンピュータ可読媒体は、少なくとも１つのコンピュータに、フェムトセルアクセスポイントにおいてＲｏＴしきい値を設定させるためのコードをさらに含む。
【００１３】
さらに、一態様では、１つまたは複数のアクセスポイントに対応する１つまたは複数のパラメータを受信するためのパラメータ受信構成要素（component）と、１つまたは複数のパラメータに少なくとも部分的に基づいてフェムトセルアクセスポイントのＲｏＴしきい値を決定するためのＲｏＴしきい値決定構成要素とを含む、フェムトセルアクセスポイントのＲｏＴしきい値を設定するための装置が提供される。本装置は、フェムトセルアクセスポイントにおいてＲｏＴしきい値を設定するためのＲｏＴしきい値設定構成要素をさらに含む。
【００１４】
別の例によれば、干渉を決定することに基づいてアクセスポイントのパラメータを調整するための方法が提供される。本方法は、１つまたは複数のアクセスポイントの最も強い送信電力を検出することと、最も強い送信電力がフェムトセルアクセスポイントにおいて利用される送信電力を超えるかどうかを決定することとを含む。本方法は、最も強い送信電力が送信電力を超えるかどうかに少なくとも部分的に基づいて、フェムトセルアクセスポイントの推定雑音フロア（estimated noise floor）を調整することをさらに含む。
【００１５】
別の態様では、干渉を決定することに基づいてアクセスポイントのパラメータを調整するための装置が提供される。本装置は、１つまたは複数のアクセスポイントの最も強い送信電力を検出することと、最も強い送信電力がフェムトセルアクセスポイントにおいて利用される送信電力を超えるかどうかを決定することとを行うように構成された少なくとも１つのプロセッサを含む。少なくとも１つのプロセッサは、最も強い送信電力が送信電力を超えるかどうかに少なくとも部分的に基づいて、フェムトセルアクセスポイントの雑音フロアを調整することを行うようにさらに構成される。本装置はまた、少なくとも１つのプロセッサに結合されたメモリを含む。
【００１６】
さらに別の態様では、１つまたは複数のアクセスポイントの最も強い送信電力を検出するための手段と、最も強い送信電力がフェムトセルアクセスポイントの送信電力を超えるかどうかを決定することに少なくとも部分的に基づいて、フェムトセルアクセスポイントの雑音フロアを調整するための手段とを含む、干渉を決定することに基づいてアクセスポイントのパラメータを調整するための装置が提供される。
【００１７】
さらに、別の態様では、少なくとも１つのコンピュータに、１つまたは複数のアクセスポイントの最も強い送信電力を検出させるためのコードと、少なくとも１つのコンピュータに、最も強い送信電力がフェムトセルアクセスポイントにおいて利用される送信電力を超えるかどうかを決定させるためのコードとを有するコンピュータ可読媒体を含む、干渉を決定することに基づいてアクセスポイントのパラメータを調整するためのコンピュータプログラム製品が提供される。本コンピュータ可読媒体は、少なくとも１つのコンピュータに、最も強い送信電力が送信電力を超えるかどうかに少なくとも部分的に基づいて、フェムトセルアクセスポイントの雑音フロアを調整させるためのコードをさらに含む。
【００１８】
その上、一態様では、１つまたは複数のアクセスポイントの最も強い送信電力を検出するための干渉決定構成要素と、最も強い送信電力がフェムトセルアクセスポイントの送信電力を超えるかどうかを決定することに少なくとも部分的に基づいて、フェムトセルアクセスポイントの雑音フロアを調整するための雑音フロア調整構成要素とを含む、干渉を決定することに基づいてアクセスポイントのパラメータを調整するための装置が提供される。
【００１９】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２０】
添付の図面とともに以下に説明する開示する態様は、開示する態様を限定するためではなく、開示する態様を例示するために与えられ、同様の表示は同様の要素を示す。
【図面の簡単な説明】
【００２１】
【図１】ワイヤレスネットワークにおける干渉を緩和することを可能にする例示的なシステムのブロック図。
【図２】他のアクセスポイントへのデバイス干渉を緩和するためのライズオーバサーマル（ＲｏＴ）しきい値を決定するための例示的なシステムのブロック図。
【図３】１つまたは複数のデバイスに経路損失測定値を要求するための例示的なシステムのブロック図。
【図４】アクセスポイントの雑音フロアまたは他のパラメータを調整するための例示的なシステムのブロック図。
【図５】アクセスポイントのＲｏＴしきい値を決定するための例示的な方法の一態様のフローチャート。
【図６】送信電力に基づいてＲｏＴしきい値を決定する例示的な方法の一態様のフローチャート。
【図７】経路損失差ＣＤＦを使用してＲｏＴしきい値を決定する例示的な方法の一態様のフローチャート。
【図８】アクセスポイントにおいて雑音フロアを調整するための例示的な方法の一態様のフローチャート。
【図９】ソフトハンドオーバにおいてデバイスの推定雑音フロアをエンフォースする（enforce）例示的な方法の一態様のフローチャート。
【図１０】本明細書で説明する様々な態様による例示的なモバイルデバイスのブロック図。
【図１１】アクセスポイントの１つまたは複数のパラメータを調整するための例示的なシステムのブロック図。
【図１２】アクセスポイントのＲｏＴしきい値を決定する例示的なシステムのブロック図。
【図１３】ソフトハンドオーバにおいてデバイスの推定雑音フロアをエンフォースする例示的なシステムのブロック図。
【図１４】本明細書に記載の様々な態様による例示的なワイヤレス通信システムのブロック図。
【図１５】本明細書で説明する様々なシステムおよび方法とともに採用され得る例示的なワイヤレスネットワーク環境の図。
【図１６】本明細書の態様が実装され得る、いくつかのデバイスをサポートするように構成された、例示的なワイヤレス通信システムを示す図。
【図１７】ネットワーク環境内でのフェムトセルの展開を可能にするための例示的な通信システムの図。
【図１８】いくつかの定義された追跡エリアを有するカバレージマップの一例を示す図。
【発明を実施するための形態】
【００２２】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００２３】
本明細書でさらに説明するように、（たとえば、潜在的に、フェムトセルアクセスポイントと通信しているデバイスによって生じる）１つまたは複数の他のアクセスポイントへの干渉を緩和するために、フェムトセルアクセスポイントの１つまたは複数のパラメータを設定または調整することができる。たとえば、フェムトセルアクセスポイントがその内で通信するアクセスポイントに関係する１つまたは複数のパラメータに基づいて、フェムトセルアクセスポイントのライズオーバサーマル（ＲｏＴ）しきい値を設定および／または調整することができる。一例では、１つまたは複数のパラメータは、フェムトセルアクセスポイント、１つまたは複数の他のフェムトセルアクセスポイント、またはマクロセルアクセスポイントなどへの経路損失であり得る。別の例では、アクセスポイントに生じた干渉の決定されたレベルに基づいて、アクセスポイントの推定雑音フロアを調整することができる。いずれの場合も、その調整により、アクセスポイントと通信しているデバイスによる利用される電力の修正が可能になり、それにより、１つまたは複数のアクセスポイントにおいて生じる干渉、または１つまたは複数のアクセスポイントによって生じる干渉を緩和することができる。
【００２４】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００２５】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、発展型ｅノードＢ（ｅＮＢ）、Ｈ（ｅ）ＮＢ、または何らかの他の用語で呼ばれることもある。
【００２６】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２７】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ-Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ
Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２８】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２９】
図１を参照すると、他のアクセスポイントへの干渉を緩和するためにサービングアクセスポイントにおいて１つまたは複数のパラメータを設定することを可能にする例示的なワイヤレス通信システム１００が示されている。システム１００は、ワイヤレスネットワークおよび／またはその１つまたは複数の構成要素へのアクセスを受信するためのサービングアクセスポイント１０４と通信することができるデバイス１０２を備える。システム１００はまた、デバイス１０２が潜在的に干渉することがある他のアクセスポイント１０６および／または１０８をも備えることができる。システム１００はまた、随意に、サービングアクセスポイント１０４によってサービスされ得る別のデバイス１１０をも備える。たとえば、デバイス１０２および／または１１０は、ＵＥ、モデム（または他のテザーデバイス）、それらの一部分などであり得る。アクセスポイント１０４、１０６、および／または１０８はそれぞれ、（本明細書ではまとめてＨ（ｅ）ＮＢと呼ぶホームノードＢまたはホーム発展型ノードＢなどの）フェムトセルアクセスポイント、ピコセルアクセスポイント、マイクロセルアクセスポイント、モバイル基地局、リレーノード、（たとえば、ピアツーピアモードまたはアドホックモードで通信している）デバイス、それらの一部分などであり得る。
【００３０】
一例によれば、デバイス１０２は潜在的に、（経路損失などを報告するかどうかにかかわらず）サービングアクセスポイント１０４に信号１１２を送信している間に、アクセスポイント１０６および／または１０８に干渉することがある。説明したように、サービングアクセスポイント１０４、アクセスポイント１０６、および／またはアクセスポイント１０８のうちの少なくともいくつかは、フェムトセルまたは他の無計画ワイヤレスネットワーク展開の一部であり得、したがって、アクセスポイント１０４、１０６および／または１０８、あるいはそれらと通信しているデバイスは、随意に（たとえば、アクセスポイントが極近傍（close proximity）に展開される場合には）互いに干渉することがある。この点について、たとえば、サービングアクセスポイント１０４は、デバイス１０２および／または他のデバイスによって生じる、起こり得る干渉を緩和するために、１つまたは複数のパラメータを設定または調整することができる。
【００３１】
本明細書でさらに説明するように、サービングアクセスポイント１０４は、アクセスポイント１０６および／または１０８への干渉を緩和するために、１つまたは複数の通信パラメータに少なくとも部分的に基づいてＲｏＴしきい値を設定することができる。一例では、１つまたは複数の通信パラメータは、デバイス１０２、デバイス１１０などの１つまたは複数の他のデバイス、サービングアクセスポイントのネットワークリスニングモジュール（ＮＬＭ）（図示せず）などによって計算される、サービングアクセスポイント１０４への経路損失とともに、アクセスポイント１０６および／または１０８への経路損失測定値に対応することができる。さらに、アクセスポイントなどにおける決定された雑音フロアに少なくとも部分的に基づいてＲｏＴしきい値を設定することができる。したがって、たとえば、デバイス１０２は、信号１１４に基づいてサービングアクセスポイントへの経路損失を計算することに少なくとも部分的に基づくサービングアクセスポイント１０４への経路損失測定値１１２、信号１１６を受信することに基づくアクセスポイント１０６への経路損失などを報告することができる。別の例では、１つまたは複数のパラメータは、受信信号符号電力（ＲＳＣＰ）、ＬＴＥにおける共通パイロットインジケータチャネル（ＣＰＩＣＨ）送信電力など、経路損失を決定することができるパラメータに対応することができる。
【００３２】
別の例では、サービングアクセスポイントならびにアクセスポイント１０６（および／またはアクセスポイント１０８）は様々な送信電力を利用することができ、その結果、デバイス１０２は、より離れた距離で動作するアクセスポイント１０４と通信することができるようになるが、アクセスポイント１０６よりも高い電力を使用して送信する。この例では、したがって、デバイス１０２は、より高い電力でサービングアクセスポイント１０４と通信するときに、アクセスポイント１０６に干渉することがある。そのような干渉を緩和するために、たとえば、アクセスポイント１０６は、それらと通信しているデバイスによって使用される送信電力を増加させるように、ＲｏＴしきい値および／または雑音フロアを調整することができる。この例では、アクセスポイント１０６は、少なくとも部分的に、ＮＬＭまたは他のデバイスを使用すること、サービングアクセスポイント１０４から電力の表示を受信することなどによって、サービングアクセスポイント１０４および／または他の近隣アクセスポイント（図示せず）の送信電力１１８を取得することができる。アクセスポイント１０６は、アクセスポイント１０６とサービングアクセスポイント１０４との間の送信電力の差によって雑音フロアを調整することができる。別の例では、アクセスポイント１０６は、その差に少なくとも部分的に基づいて、雑音フロアまたはＲｏＴしきい値を適応的に調整することができる。
【００３３】
さらに別の例では、デバイス１０２は、デバイス１０２がサービングアクセスポイント１０４と制御データを通信し、アクセスポイント１０６および／またはサービングアクセスポイント１０４からユーザプレーンデータを受信するように、（たとえば、ソフトハンドオーバ（ＳＨＯ）において）サービングアクセスポイント１０４およびアクセスポイント１０６と同時に通信することができる。この例では、アクセスポイント１０６がサービングアクセスポイント１０４よりも高い送信電力を利用する場合、アクセスポイント１０６はＳＨＯの一部としてデバイス１０２の電力を同様に制御することができるので、サービングアクセスポイント１０４は、デバイス１０２から制御データを確実に受信することができないことがある。この例では、アクセスポイント１０６は、（たとえば、サービングアクセスポイントとしてのアクセスポイント１０６とのＳＨＯを使用していない他のデバイスではなく）デバイス１０２と通信する際に、調整された雑音フロアをエンフォース（enforce）することができ、それによりデバイス１０２の送信電力が増加し、したがってサービングアクセスポイント１０４は、そこから制御データを取得することができる。上記の修正は、ワイヤレスネットワーク中に展開されたアクセスポイントによって生じる干渉を管理することを可能にする。
【００３４】
図２を参照すると、アクセスポイントにおいてＲｏＴしきい値を設定するための例示的なワイヤレス通信システム２００が示されている。システム２００は、説明したように、１つまたは複数のワイヤレスネットワーク構成要素へのアクセスを受信するためにサービングアクセスポイント２０４と通信するデバイス２０２を備える。さらに、システム２００は、サービングアクセスポイント２０４と通信することに少なくとも部分的に起因してデバイス２０２が潜在的に干渉することがある別のアクセスポイント２０６を含むことができる。たとえば、サービングアクセスポイント２０４の展開により、サービングアクセスポイント２０４によって生じるのか、デバイス２０２によって生じるのか、またはサービングアクセスポイント２０４と通信している他のデバイスなどによって生じるのかにかかわらず、サービングアクセスポイント２０４の近傍の他のアクセスポイント（図示せず）への干渉を生じることがある。説明したように、たとえば、デバイス２０２は、ＵＥ、モデムなどであり得、サービングアクセスポイント２０４は、フェムトセルアクセスポイント、Ｈ（ｅ）ＮＢなどであり得る。説明したように、アクセスポイント２０６は、たとえば、マクロセルアクセスポイント、フェムトセルアクセスポイントまたはピコセルアクセスポイント、モバイル基地局、リレーなどであり得る。
【００３５】
デバイス２０２は、随意に、１つまたは複数のアクセスポイントへの経路損失を決定する経路損失測定構成要素２０８と、決定された経路損失を１つまたは複数のアクセスポイントまたはデバイスに通信する経路損失報告構成要素２１０とを備えることができる。サービングアクセスポイント２０４は、（たとえば、マクロセルにおいて通信している）通信環境に関係する１つまたは複数のパラメータを取得するためのパラメータ受信構成要素２１２と、１つまたは複数のパラメータに少なくとも部分的に基づいてサービングアクセスポイントのＲｏＴしきい値を決定するためのＲｏＴしきい値決定構成要素２１４と、サービングアクセスポイント２０４においてＲｏＴしきい値を利用するためのＲｏＴしきい値設定構成要素２１６とを備える。サービングアクセスポイント２０４はまた、随意に、１つまたは複数のアクセスポイントから１つまたは複数の信号を取得し、その信号を処理するためのＮＬＭ構成要素２１８、および／またはサービングアクセスポイント２０４と１つまたは複数の他のアクセスポイントとの間の経路損失差を決定するための経路損失差計算構成要素２２０を備えることができる。
【００３６】
一例によれば、パラメータ受信構成要素２１２は、アクセスポイント２０６など、サービングアクセスポイント２０４の範囲内の１つまたは複数の他のアクセスポイント、または１つまたは複数の他のフェムトセル、マクロセル、または実質的に任意のタイプのアクセスポイントに関係する１つまたは複数のパラメータを取得することができる。たとえば、これは、アクセスポイント２０６の近くの通信環境、サービングアクセスポイント２０４に対するアクセスポイント２０６のロケーションなどに関する１つまたは複数のパラメータに対応することができる。たとえば、１つまたは複数のパラメータに少なくとも部分的に基づいて、ＲｏＴしきい値決定構成要素２１４は、（たとえば、サービングアクセスポイント２０４と通信しているデバイスによって生じる）他のアクセスポイントへの干渉を緩和するために、サービングアクセスポイント２０４のＲｏＴしきい値を決定することができる。その上、サービングアクセスポイント２０４の範囲内にあること、またはサービングアクセスポイント２０４の範囲内で測定されたパラメータは、サービングアクセスポイント２０４によって聴取されているアクセスポイント２０６、デバイス２０２など、サービングアクセスポイント２０４と通信しているデバイスなどからの信号を指すことができる。
【００３７】
たとえば、サービングアクセスポイント２０４のＲｏＴしきい値がハイレベルである場合、サービングアクセスポイント２０４にアクセスしようと試みている（たとえば、それのランダムアクセスチャネル（ＲＡＣＨ）にアクセスしようと試みている）デバイス２０２は、ＲｏＴしきい値に対応する信号対雑音比（ＳＮＲ）に達するように送信電力を増加させることができる。しかしながら、これは、デバイス２０２がその送信電力を使用してサービングアクセスポイント２０４と通信するときに、アクセスポイント２０６への干渉を生じることがある。しかしながら、高ＲｏＴしきい値を使用することは、サービングアクセスポイント２０４におけるデバイス２０２のスループットを向上させ、他のアクセスポイントと通信している他のデバイスからの干渉に対する抵抗を向上させることができる。したがって、ＲｏＴしきい値決定構成要素２１４は、サービングアクセスポイント２０４の通信環境に関する１つまたは複数のパラメータを使用して、サービングアクセスポイント２０４のＲｏＴしきい値を決定することができる。
【００３８】
たとえば、１つまたは複数のパラメータが、サービングアクセスポイント２０４に対するアクセスポイントのロケーション（たとえば、および／またはアクセスポイント２０６の絶対ロケーションと比較したサービングアクセスポイント２０４の絶対ロケーション）を備える場合、ＲｏＴしきい値決定構成要素２１４は、サービングアクセスポイント２０４と１つまたは複数の他のアクセスポイントの既知のロケーションとの間の距離を評価することができる。たとえば、パラメータ受信構成要素２１２は、ホームｅＮＢ管理サーバなどのアクセスポイント管理サーバ、サービングモバイルロケーションセンター（ＳＭＬＣ）などの測位サーバ（図示せず）、アクセスポイント２０６、デバイス２０２、または他のデバイスなどから、１つまたは複数のアクセスポイントのロケーションを受信することができる。この例では、ＲｏＴしきい値決定構成要素２１４は、（たとえば、測位サーバからも受信され得る）サービングアクセスポイント２０４のロケーションと、アクセスポイント２０６などの１つまたは複数のアクセスポイントの受信したロケーションとに基づいて、１つまたは複数のアクセスポイントまでの距離を計算することができ、他のアクセスポイントへの干渉を緩和するために、計算された距離に基づいてサービングアクセスポイント２０４のＲｏＴしきい値を決定することができる。一例では、ＮＬＭ構成要素２１８は、アクセスポイント２０６から信号を取得することができ、信号強度を決定することができ、パラメータ受信構成要素２１２は、ＮＬＭ構成要素２１８から信号強度を取得することができ、ＲｏＴしきい値決定構成要素２１４は、アクセスポイント２０６への干渉を緩和するために、追加または代替として信号強度に基づいてサービングアクセスポイント２０４のＲｏＴしきい値を決定することができる。
【００３９】
別の例では、デバイス２０２は、ＲｏＴしきい値を決定することを可能にするために、経路損失測定値をサービングアクセスポイント２０４に報告することができる。この例では、経路損失測定構成要素２０８は、サービングアクセスポイント２０４、アクセスポイント２０６などの１つまたは複数の近隣アクセスポイントなどへの経路損失を測定することができ、経路損失報告構成要素２１０は、その経路損失測定値をサービングアクセスポイント２０４に通信することができる。パラメータ受信構成要素２１２は、経路損失測定値を取得することができ、ＲｏＴしきい値決定構成要素２１４は、その経路損失測定値に少なくとも部分的に基づいて、サービングアクセスポイント２０４のＲｏＴしきい値を決定することができる。たとえば、（たとえば、ＲＡＣＨにアクセスしようと試みている）サービングアクセスポイント２０４と通信しているデバイス２０２のサービングアクセスポイント２０４におけるＳＮＲは、
【数１】
2014239498.tif 000003
【００４０】
になり得、式中、ＴｘＰｗｒFは、サービングアクセスポイント２０４に正常にアクセスするためのデバイス２０２の送信電力であり、ＰＬFは、デバイス２０２によって測定されたサービングアクセスポイント２０４への経路損失であり、ＲｏＴは、サービングアクセスポイント２０４におけるＲｏＴであり、ＮｏFは、サービングアクセスポイント２０４における雑音フロアである。一例では、雑音フロアをあらかじめ決定し、および／または（たとえば、アクセスポイント管理サーバなどからの）構成中で受信することができる。
【００４１】
さらに、アクセスポイント２０６および／またはそれと通信しているデバイスに影響を及ぼさないように、アクセスポイント２０６などのアクセスポイントに生じた干渉を無視することができる。
【数２】
2014239498.tif 000004
【００４２】
式中、ＰＬMはデバイス２０２によって測定されたアクセスポイント２０６への経路損失であり、ＮｏMはアクセスポイント２０６の雑音フロアであり、ΔMはアクセスポイントの雑音フロアに関する最大干渉レベルである。これらの式を組み合わせると、
【数３】
2014239498.tif 000005
【００４３】
になり、ＲｏＴしきい値決定構成要素２１４は、
【数４】
2014239498.tif 000006
【００４４】
のように上限ＲｏＴしきい値を計算することができ、経路損失測定構成要素２０８はＰＬMおよびＰＬFを測定し、経路損失報告構成要素２１０はそれらをサービングアクセスポイント２０４に報告し、ＲｏＴしきい値決定構成要素２１４は、アクセスポイント管理サーバおよび／またはアクセスポイント２０６からＮｏMおよびＮｏFを取得し、ＲｏＴしきい値決定構成要素２１４は、上記のようにγRACHを計算し、（たとえば、アクセスポイント管理サーバまたは他のコアネットワーク構成要素、構成などから）固定値としてΔMを取得する。さらに、Ｆｕｎｃ１は、（たとえば、ハードコーディングされた構成、１つまたは複数のネットワーク構成要素から受信した構成などに基づいて）ＲｏＴしきい値決定構成要素２１４によって構成され得る、最小関数、パーセンタイル分布（たとえば、第１０パーセンタイル）などのＰＬM−ＰＬFの実質的に任意の関数であり得る。
【００４５】
別の例では、複数のアクセスポイントがサービングアクセスポイント２０４の近傍に存在し、潜在的に干渉され、上限ＲｏＴしきい値は、
【数５】
2014239498.tif 000007
【００４６】
ように決定され得、式中、ｋは、それぞれのアクセスポイント（たとえば、マクロセルアクセスポイント、フェムトセルアクセスポイント、ピコセルアクセスポイントなど）のインデックスである。さらに、しかしながら、デバイス２０２は、サービングアクセスポイント２０４によって設定され得る最大送信電力の制約の下でサービングアクセスポイント２０４にアクセスすることができる。
【数６】
2014239498.tif 000008
【００４７】
式中、Ｍａｘ＿ＴｘＰｗｒは、パラメータ受信構成要素２１２によって受信または場合によっては決定され得る最大送信電力である。これは、ＲｏＴしきい値決定構成要素２１４が、
【数７】
2014239498.tif 000009
【００４８】
を計算することができる別の上限ＲｏＴしきい値をもたらすことができ、式中、Ｆｕｎｃ２（ＰＬF）は、複数のデバイスロケーションにおけるＰＬFの統計（たとえば、最小関数、パーセンタイル分布など）に関する関数である。したがって、一例では、ＲｏＴしきい値決定構成要素２１４は、次のようにサービングアクセスポイントのＲｏＴしきい値を計算することができる。
【数８】
2014239498.tif 000010
【００４９】
たとえば、上記で論じた様々な経路損失測定は、（たとえば、サービングアクセスポイント２０４によって示されるトレーニング期間の一部として）サービングアクセスポイント２０４などに要求すると、（たとえば、１つまたは複数のタイマーに基づいて）デバイス２０２および／またはＮＬＭ構成要素２１８によって周期的に実行され得る。ＲｏＴしきい値決定構成要素２１４は、説明したように、経路損失測定値を受信し、それに応じてＲｏＴしきい値を決定することができる。一例では、ＰＬM,k−ＰＬFの経路損失測定、ＰＬFの統計などは、１つまたは複数のデバイスが経路損失測定値を報告するトレーニング期間を使用して計算され得る。たとえば、（たとえば、イベントまたは他のトリガに基づく）初期化時などに、サービングアクセスポイント２０４は、アクセスポイント２０６など、近傍内の他のアクセスポイントの検出されたパラメータ（たとえば、受信信号強度、ブロードキャストされたシステム情報など）に基づいてダウンリンク送信電力を決定することができ、それに応じて、そのパラメータに基づいてダウンリンクカバレージエリアを決定することができる。また、ＲｏＴしきい値決定構成要素２１４は、説明したように、ＮＬＭ構成要素２１８が１つまたは複数のアクセスポイントへの経路損失を測定したことに基づいて、初期ＲｏＴしきい値を設定することができる。
【００５０】
その後、この例では、サービングアクセスポイント２０４は、デバイス２０２などの１つまたは複数のデバイスに経路損失測定値を要求するためのトレーニング期間を、アクセスポイント２０６などの１つまたは複数のアクセスポイントに入力することができる。一例では、ＮＬＭ構成要素２１８は、上記で説明したように、ダウンリンク送信電力を決定するために最初に測定したときに、サービングアクセスポイントの識別子（たとえば、プライマリスクランブリングコード（ＰＳＣ））を収集していることがある。経路損失差計算構成要素２２０は、デバイス２０２などのデバイスに経路損失測定値を要求することができ、それに応じてそのデバイスに対して識別子を指定することができる。デバイス２０２などのデバイスは、識別されたアクセスポイントのうちの１つまたは複数への経路損失を測定するために、経路損失測定構成要素２０８などの経路損失測定構成要素を利用することができる。さらに、経路損失測定構成要素２０８が追加のアクセスポイントに遭遇した場合、経路損失報告構成要素２１０は、サービングアクセスポイント２０４に経路損失を報告することができ、経路損失差計算構成要素２２０は、追加のアクセスポイントの識別子を決定された識別子のリストに追加することができる。
【００５１】
デバイス２０２などのデバイスからアクセスポイント２０６などの１つまたは複数のアクセスポイントへの経路損失測定値が収集されると、経路損失差計算構成要素２２０は、それについての経路損失測定値が受信される各アクセスポイントの経路損失差報告または累積密度関数（ＣＤＦ）を生成することができる。たとえば、デバイスによって報告された、サービングアクセスポイント２０４の各経路損失測定値ＰＬFについて、経路損失差計算構成要素２２０は、最も近い時間に報告されたデバイスによって、別のアクセスポイントへのｋ番目の経路損失サンプルＰＬM,kの位置を特定し、差ＰＬM,k−ＰＬFを計算することができる。したがって、経路損失差計算構成要素２２０は、各報告されたＰＬFについてＰＬM,k−ＰＬFのセットを計算することができ、対応する経路損失差ＣＤＦを構築することができる。別の例では、経路損失差計算構成要素２２０は、トレーニング期間中に報告されたＰＬFサンプルに基づいて、ＣＤＦを構築することができる。説明したように、ＲｏＴしきい値決定構成要素２１４は、（たとえば、上記のＦｕｎｃ１またはＦｕｎｃ２において経路損失ＣＤＦを使用することによって）ＲｏＴしきい値を決定する際に、経路損失差ＣＤＦを利用することができる。
【００５２】
図３を参照すると、経路損失差ＣＤＦを生成するための例示的なワイヤレス通信システム３００が示されている。システム３００は、ワイヤレスネットワークへのアクセスを受信するためにアクセスポイント３０４と通信するデバイス３０２を備える。システム３００はまた、デバイス３０２は潜在的に、アクセスポイント３０４に信号を送信している間に干渉することがある、（アクセスポイント２０６と通信しているデバイスに干渉することを含むことができる）アクセスポイント２０６を備える。この点について、たとえば、アクセスポイント３０４および／またはアクセスポイント２０６を互いの近傍内に展開することができる。説明したように、デバイス３０２はＵＥ、モデムなどであり得、アクセスポイント３０４および／またはアクセスポイント２０６はそれぞれ、マクロセルアクセスポイント、フェムトセルアクセスポイント、またはピコセルアクセスポイントなどであり得る。
【００５３】
デバイス３０２は、１つまたは複数のアクセスポイントへの経路損失を決定するための経路損失測定構成要素２０８と、１つまたは複数の同様のまたは異なるアクセスポイントへの経路損失を通信するための経路損失報告構成要素２１０と、１つまたは複数のアクセスポイントに対応する経路損失測定を行いたいという要求をアクセスポイントから取得するための測定要求受信構成要素３０６とを備えることができる。
【００５４】
アクセスポイント３０４は、１つまたは複数のアクセスポイントへの１つまたは複数の経路損失測定値をデバイスから取得するためのパラメータ受信構成要素２１２と、１つまたは複数の経路損失測定値に少なくとも部分的に基づいてアクセスポイント３０４のＲｏＴしきい値を決定するためのＲｏＴしきい値決定構成要素２１４と、アクセスポイント３０４においてＲｏＴしきい値を利用するためのＲｏＴしきい値設定構成要素２１６とを備える。アクセスポイント３０４は、１つまたは複数のアクセスポイントへの経路損失を決定するためにそれらのアクセスポイントから信号を受信するための随意のコロケートされた（co-located）ＮＬＭ構成要素２１８と、デバイス測定値に基づいてアクセスポイント３０４と１つまたは複数の他のアクセスポイントとの間の経路損失差を決定するための経路損失差計算構成要素２２０と、１つまたは複数の経路損失測定を実行したいという要求を１つまたは複数のデバイスに通信するための測定要求構成要素３０８とをさらに備えることができる。
【００５５】
一例によれば、アクセスポイント３０４は、説明したように、ＲｏＴしきい値を計算するために経路損失統計値を収集することができる。たとえば、経路損失測定構成要素２０８は、アクセスポイント３０４、アクセスポイント２０６などの１つまたは複数の近隣アクセスポイントなどへの経路損失を測定することができ、経路損失報告構成要素２１０は、その経路損失測定値をアクセスポイント３０４に通信することができる。上記で説明したように、パラメータ受信構成要素２１２は、経路損失測定値を取得することができ、ＲｏＴしきい値決定構成要素２１４は、その経路損失測定値に少なくとも部分的に基づいて、アクセスポイント３０４のＲｏＴしきい値を決定することができる。その上、たとえば、測定要求構成要素３０８は、ＲｏＴしきい値を決定することを可能にするために１つまたは複数の経路損失測定を実行するように、デバイス３０２および／または他のデバイスに要求することができる。
【００５６】
一例では、測定要求構成要素３０８は、監視すべきアクセスポイントのセットを決定することができ、そこから、そこへの干渉を緩和するために、様々なデバイスからアクセスポイントのセットへの経路損失に基づいて、ＲｏＴしきい値を決定することができる。たとえば、測定要求構成要素３０８はＮＬＭ構成要素２１８を利用して、アクセスポイント２０６など、ＮＬＭ構成要素２１８によってそこから信号を受信することができるアクセスポイントおよび／または関連するセルを決定するために、プライマリスクランブリングコード（ＰＳＣ）範囲または他のアクセスポイント識別範囲を走査することができる。
【００５７】
別の例では、測定要求構成要素３０８は、決定されたアクセスポイントのうちの１つまたは複数について別の動作周波数を決定することができ、１つまたは複数のデバイスが、（たとえば、決定されたアクセスポイントのうちの１つまたは複数について指定された元の動作周波数に加えてまたは代替として）他の動作周波数上で、決定されたアクセスポイントのうちの１つまたは複数について周波数間測定を実行することを要求することができる。これは、１つまたは複数のデバイスが元の動作周波数上で、決定されたアクセスポイントのうちの１つまたは複数からの信号を検出することができない（たとえば、しきい値検出信号対干渉比（ＳＩＲ）を下回るパイロット送信電力が受信された）場合、決定されたアクセスポイントのうちの１つまたは複数を測定することを可能にすることができる。一例では、測定要求構成要素３０８は、決定されたアクセスポイントのうちの１つまたは複数についての測定値を所与の時間期間内に受信しないときに、他の動作周波数上で測定するように要求することを決定することができる。その上、一例では、他の動作周波数は、決定されたアクセスポイントのうちの１つまたは複数の元の動作周波数と隣接することがある。
【００５８】
測定要求構成要素３０８がアクセスポイントのセットおよび／またはその動作周波数を決定すると、測定要求構成要素３０８は、（たとえば、アクセスポイント２０６を含む）セット中のアクセスポイントの少なくとも一部分への経路損失、ならびにアクセスポイント３０４への経路損失を測定し、それらをトレーニング期間の一部として報告するようにデバイス３０２などの１つまたは複数のデバイスを構成することができる。測定要求受信構成要素３０６は、経路損失を測定したいという要求を取得することができ、経路損失測定構成要素２０８は、それに応じて、アクセスポイントのセットの少なくとも一部分およびアクセスポイント３０４から信号を受信し、その信号に基づいて経路損失を測定することができる。
【００５９】
この例では、経路損失報告構成要素２１０は、アクセスポイント３０４およびアクセスポイント２０６を含む１つまたは複数のアクセスポイントへの測定経路損失をアクセスポイント３０４に通信することができる。経路損失測定構成要素２０８は他のＰＳＣを有する追加のアクセスポイントへの経路損失を測定することができ、経路損失報告構成要素２１０はそれを報告することができ、測定要求構成要素３０８は追加のＰＳＣをアクセスポイントのセットに追加することができることを諒解されたい。説明したように、パラメータ受信構成要素２１２は、デバイス３０２から経路損失測定値を受信することができ、および／または他のデバイスから追加の経路損失測定値を受信することができる。この点について、異なるデバイスロケーションに基づいて、アクセスポイントのセット中のアクセスポイントの少なくとも一部分の経路損失測定値を受信することができる。パラメータ受信構成要素２１２は、受信された経路損失測定値に少なくとも部分的に基づいて、セット中の各アクセスポイントについて経路損失累積密度関数（ＣＤＦ）または経路損失測定値の他の組合せを構築することができる。代替的に、パラメータ受信構成要素２１２は、ＮＬＭ構成要素２１８を使用してアクセスポイントからの信号を測定することに少なくとも部分的に基づいて、アクセスポイントのセット中の各アクセスポイントへの経路損失を特徴づけることができる。
【００６０】
パラメータ受信構成要素２１２がいくつかの経路損失測定値を取得し、アクセスポイントの一部分のＣＤＦを決定すると、パラメータ受信構成要素２１２はまた、それについての経路損失測定値が受信されるアクセスポイントの一部分における各アクセスポイントについて差ＣＤＦを計算することもできる。たとえば、デバイス３０２などのデバイスＰＬFから報告されたアクセスポイント３０４の各経路損失測定値について、パラメータ受信構成要素２１２は、特定のデバイスから最も近接した時間に報告されたｉ番目のアクセスポイントＰＬM（ｉ）への経路損失を決定することができる。たとえば、パラメータ受信構成要素２１２は、デバイスによって報告されたｉ個の経路損失測定値を評価して、最も近接した時間の経路損失測定値を決定することができ、ｉはデバイスによって測定されるセット中のアクセスポイントの数である。パラメータ受信構成要素２１２は、各報告されたＰＬFの経路損失測定値の差ＰＬM（ｉ）−ＰＬFを計算することができ、それに応じて差ＣＤＦを構築することができる。
【００６１】
代替的に、パラメータ受信構成要素２１２がＮＬＭ構成要素２１８を使用して経路損失差を特徴づける場合、パラメータ受信構成要素２１２は、アクセスポイント３０４の仮定経路損失（たとえば、ダウンリンク送信電力に基づいて９０デシベル（ｄＢ）カバレージ半径）とともに、ＮＬＭ構成要素２１８から収集されたアクセスポイントのセット中のアクセスポイントの測定経路損失を使用して、経路損失差を計算することができる。いずれの例でも、ＲｏＴしきい値決定構成要素２１４は、差ＣＤＦ、またはアクセスポイントのセット中のアクセスポイントへの他の計算された経路損失差に少なくとも部分的に基づいて、アクセスポイント３０４のＲｏＴしきい値を決定することができる。たとえば、ＲｏＴしきい値決定構成要素２１４は、最も低い経路損失測定値ＰＬM（ｉ）または経路損失差測定値ＰＬM（ｉ）−ＰＬFを有するアクセスポイントのセット中のアクセスポイントへの経路損失に少なくとも部分的に基づいてＲｏＴしきい値を決定することができる。
【００６２】
たとえば、ＲｏＴしきい値決定構成要素２１４は、あらかじめ決定されたＣＤＦまたは差ＣＤＦに少なくとも部分的に基づいて、アクセスポイントのセットの経路損失しきい値を決定することができる。たとえば、ＣＤＦにおける１つまたは複数の報告された経路損失差に少なくとも部分的に基づいて、経路損失しきい値を決定することができる。一例では、ＲｏＴしきい値決定構成要素２１４は、ＣＤＦにおける経路損失差のあるパーセンタイル分布とすべき経路損失しきい値（たとえば、最も低い報告された差、最も低い報告された差のｎパーセンタイルなど）を決定することができる。いずれの場合も、説明したように、ＲｏＴしきい値設定構成要素２１６は、アクセスポイント３０４のＲｏＴしきい値を利用することができる。
【００６３】
図４を参照すると、アクセスポイントの雑音フロアまたはＲｏＴしきい値を調整するための例示的なワイヤレス通信システム４００が示されている。システム４００は、ワイヤレスネットワークへのアクセスを受信するために１つまたは複数のアクセスポイント４０４および／または４０６と通信するデバイス４０２を備える。説明したように、たとえば、デバイス４０２は、潜在的に、アクセスポイント４０４に信号を送信している間にアクセスポイント４０６に干渉することがあり（これは、アクセスポイント４０６と通信しているデバイスに干渉することを含むことがある）、および／またはその逆も同様である。この点について、たとえば、アクセスポイント４０４および／または４０６を互いの近傍内に展開することができる。説明したように、デバイス４０２はＵＥ、モデムなどであり得、アクセスポイント４０４および／または４０６はそれぞれ、マクロセルアクセスポイント、フェムトセルアクセスポイント、またはピコセルアクセスポイントなどであり得る。
【００６４】
アクセスポイント４０４は、１つまたは複数のアクセスポイントからの信号を受信するための随意のＮＬＭ構成要素４０８と、潜在的に１つまたは複数のアクセスポイントによって生じる干渉のレベルを（たとえば、それの送信電力に少なくとも部分的に基づいて）決定するための干渉決定構成要素４１０とを備えることができる。アクセスポイント４０４はまた、随意に、決定された潜在的な干渉に少なくとも部分的に基づいてアクセスポイント４０４の雑音フロアを変更するための雑音フロア調整構成要素４１２、決定された潜在的な干渉に少なくとも部分的に基づいてアクセスポイント４０４のＲｏＴしきい値を変更するためのＲｏＴしきい値調整構成要素４１４、および／または１つまたは複数のアクセスポイントがＳＨＯアクセスを与える１つまたは複数のデバイスに識別子のリストを要求するためのＳＨＯデバイス要求構成要素４１６を備えることができる。
【００６５】
一例によれば、アクセスポイント４０４は、アクセスポイント４０６とは異なる電力で送信することができる。たとえば、アクセスポイント４０６がデバイス４０２をサービスし、より高い電力で送信する場合、デバイス４０２は、アクセスポイント４０４に物理的により近接していることがあるが、より高い送信電力により、依然としてアクセスポイント４０６と通信することができる。これによりアクセスポイント４０４への干渉が生じることがある。一例では、アクセスポイント４０４の初期化の一部として、または１つまたは複数のイベントまたは他のトリガ（たとえば、タイマー、新しいアクセスポイントの存在を検出することなど）に基づいて、干渉決定構成要素４１０は、アクセスポイント４０６などの１つまたは複数の近隣アクセスポイントによって生じることがある潜在的な干渉を見分けることができ、その潜在的な干渉を緩和するためにアクセスポイント４０４の１つまたは複数のパラメータを調整することができる。
【００６６】
一例では、アクセスポイント４０４は、アクセスポイント４０６および／または１つまたは複数の他の近隣アクセスポイントのパイロット送信電力を取得することができる。たとえば、ＮＬＭ構成要素４０８は、アクセスポイント４０６などの１つまたは複数の近隣アクセスポイントからの信号を検出することができ、その信号を測定すること、その信号中に表されたデータを処理することなどに少なくとも部分的に基づいて、それの近隣アクセスポイントのダウンリンクパイロット送信電力を決定することができる。別の例では、干渉決定構成要素４１０は、アクセスポイント管理サーバまたは他のコアネットワーク構成要素などから、１つまたは複数の近隣アクセスポイントのダウンリンクパイロット送信電力を受信することができる。いずれの場合も、干渉決定構成要素４１０は、それに応じて、１つまたは複数のアクセスポイントからの潜在的な干渉の存在および／または量を決定することができる。一例では、干渉決定構成要素４１０は、そのダウンリンク送信電力をアクセスポイント４０４のダウンリンク送信電力と比較することに基づいて、そのようなことを決定することができる。
【００６７】
たとえば、決定された起こり得る干渉に基づいて、雑音フロア調整構成要素４１２はアクセスポイント４０４の雑音フロアを調整することができる。一例では、干渉決定構成要素４１０は、（たとえば、単一または複数の近隣アクセスポイントが存在する場合）ＮＬＭ構成要素４０８によって受信または観測される最も強いダウンリンクパイロット送信電力を決定することができる。雑音フロア調整構成要素４１２は、たとえば、以下の式に従って雑音フロアを調整することができる。
【数９】
2014239498.tif 000011
【００６８】
式中、Ｏｗｎ＿Ｐｉｌｏｔ＿ＴｘＰｗｒはアクセスポイント４０４の送信電力であり、Ｓｔｒｏｎｇｅｓｔ＿Ｐｉｌｏｔ＿ＴｘＰｗｒは最も強い近隣アクセスポイント（たとえば、アクセスポイント４０６）の送信電力である。たとえば、アクセスポイント４０４の雑音フロアを上げることによって、アクセスポイント４０４と通信しているデバイスは、アクセスポイント４０４に対する干渉の衝撃を緩和するために送信電力を増加させることができる。この点について、たとえば、アクセスポイント４０４は、（たとえば、受信電力に基づく１つまたは複数のデバイスへの電力制御コマンドにおいて）１つまたは複数のデバイスと通信する際に、変更された雑音フロアをエンフォースすることができる。たとえば、雑音フロア調整構成要素４１２は、パイロットＳＮＲ計算のために推定雑音干渉電力に仮想雑音電力を加算することによってアップリンク電力制御アルゴリズムを変更することができる。さらに、たとえば、１つまたは複数のデバイスは、雑音フロア調整に基づいて、追加の雑音を注入すること、ＲＦフロントエンド減衰器を変更することなどを行うことができる。
【００６９】
別の例では、雑音フロア調整構成要素４１２は、セル外干渉の推定レベルに基づいて（たとえば、アクセスポイント４０６と通信しているときにデバイス４０２から受信した干渉に基づいて）、アクセスポイント４０４の雑音フロアを適応的に調整することができる。たとえば、干渉決定構成要素４１０は、アクセスポイント４０４への干渉のレベルを測定または推定することができ、これは、（たとえば、ＮＬＭ構成要素４０８を使用して）無信号間隔または他の時間期間中に雑音レベルを測定すること、ＮＬＭ構成要素４０８によって受信された送信信号を測定すること、アクセスポイント４０４からの信号を送信するために使用される電力に基づいて信号の上の雑音のレベルを決定することなどを含むことがある。いずれの場合も、たとえば、雑音フロア調整構成要素４１２は、以下と同様の式に従って雑音フロアを適応的に調整することができる。
【数１０】
2014239498.tif 000012
【００７０】
式中、Ｏｕｔ＿ｏｆ＿Ｃｅｌｌ＿Ｉｎｔｆ＿ｄＢは測定セル外干渉レベルまたは推定セル外干渉レベルであり、Ｍａｒｇｉｎ＿ｄＢは、増加した雑音フロアに基づいてレベル外干渉を非有意にする一定値である。したがって、雑音フロアを増加させることに鑑みてデバイス送信電力を不必要に増加させることを防ぐために、推定セル外干渉が０である場合に雑音フロアが増加することはない。
【００７１】
さらに別の例では、雑音フロアを調整することの代わりに、またはそれに加えて、ＲｏＴしきい値調整構成要素４１４は、潜在的な干渉または実際の干渉に従って、アクセスポイント４０４のＲｏＴしきい値、または干渉決定構成要素４１０によって決定された１つまたは複数のアクセスポイントのＲｏＴしきい値を変更することができる。一例では、ＲｏＴしきい値調整構成要素４１４は、計算されたＸｄＢに少なくとも部分的に基づいてアクセスポイント４０４のＲｏＴしきい値を変更することができる。たとえば、ＲｏＴしきい値調整構成要素４１４は、以下の式、または同様の式に基づいてＲｏＴしきい値調整値を計算することができる。
【数１１】
2014239498.tif 000013
【００７２】
したがって、ＲｏＴしきい値は、この例では線形であり得る、ある関数に従ってＸｄＢに対応するが、この点について、他のクラスの関数が同様に利用され得る。同様に、ＲｏＴしきい値調整構成要素４１４は、一例に記載されているように、干渉決定構成要素４１０がセル外干渉を検出した場合、ＲｏＴしきい値を調整することができる。さらに、ＲｏＴしきい値調整構成要素４１４は、同様に近傍の他のアクセスポイントへの干渉を制限するために、図２に記載されているように、計算された上限ＲｏＴしきい値に適合することができる。
【００７３】
さらに別の例では、デバイス４０２は、アクセスポイント４０６によってサービスされ得、また、ＳＨＯにおいてユーザプレーンデータをアクセスポイント４０４（たとえば、アクセスポイント４０６）と通信することができる。この例では、アクセスポイント４０４および４０６は、両方とも（たとえば、デバイス４０２に電力調整コマンドを通信することによって）デバイス４０２のアップリンク送信電力を制御することができる。いくつかの例では、たとえば、デバイス４０２が、アクセスポイント４０６により近いが、アクセスポイント４０４への経路損失がより少ない場合、アクセスポイント４０４は、アクセスポイント４０６がデバイス４０２の送信電力を増加させようと試みている間、デバイス４０２の送信電力を下げるように調整することができる。この例では、雑音フロア調整構成要素４１２は、ＳＨＯにおいてアクセスポイント４０４によってサービスされていないデバイスの電力アルゴリズムを変更するために推定雑音フロアを調整することができる。したがって、たとえば、ＳＨＯデバイス要求構成要素４１６は、アクセスポイント４０６などの１つまたは複数のアクセスポイントに、ＳＨＯにおいてその１つまたは複数のアクセスポイントによってサービスされるデバイスに対応する識別子のリストを要求することができる。
【００７４】
この例では、雑音フロア調整構成要素４１２は、干渉決定構成要素４１０によって決定された実際の干渉または起こり得る干渉に少なくとも部分的に基づいて、雑音フロア調整値を計算することができる。雑音フロア調整構成要素４１２は、次いで、受信したデバイス識別子に基づいて、アクセスポイント４０６または１つまたは複数の他のアクセスポイントによってサービスされる、ＳＨＯにおいてアクセスポイント４０４が通信するデバイスを識別することができ、計算された雑音フロアに少なくとも部分的に基づいてデバイス４０２などのデバイスへのアップリンク電力割振りを変更することができる。したがって、アクセスポイント４０４の雑音フロアの増加をデバイス４０２に通信することにより、デバイス４０２は送信電力を増加させることができ、それにより、デバイス４０２とアクセスポイント４０６との間の制御チャネル品質が改善され得る。この例では、雑音フロア調整構成要素４１２は、アクセスポイント４０４によってサービスされるデバイスによって潜在的に生じるアクセスポイント４０６または他のアクセスポイントへの干渉を緩和するために、そのデバイスに雑音フロア調整を通信することを控えることができる。
【００７５】
図５〜図９を参照すると、干渉を緩和するためにフェムトセルアクセスポイントの１つまたは複数のパラメータを調整することに関係する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００７６】
図５を参照すると、ＲｏＴしきい値を決定することを可能にする例示的な方法５００が表示されている。５０２において、１つまたは複数のアクセスポイントに対応する１つまたは複数のパラメータ。たとえば、１つまたは複数のパラメータは、１つまたは複数のアクセスポイントの無線状態（たとえば、１つまたは複数のアクセスポイントへ経路損失測定値）、フェムトセルアクセスポイントに対する１つまたは複数のアクセスポイントのロケーションなどに対応することができる。その上、一例では、１つまたは複数のパラメータは、したがって、（たとえば、トレーニング期間の一部としての測定値の要求に基づいて）ＮＬＭ、１つまたは複数のデバイスなどから受信され得る。その上、たとえば、１つまたは複数のパラメータは、上記で説明したように、最大送信電力、経路損失統計などに関係することがあり、そこからＲｏＴしきい値を決定することができる。５０４において、１つまたは複数のパラメータに少なくとも部分的に基づいてフェムトセルアクセスポイントのＲｏＴしきい値を決定する。５０６において、フェムトセルアクセスポイントにおいてＲｏＴしきい値を設定する。たとえば、これにより、１つまたは複数のデバイスが、フェムトセルアクセスポイントと通信するために使用される送信電力を調整することができる。
【００７７】
図６を参照すると、フェムトセルアクセスポイントのＲｏＴしきい値を決定する例示的な方法６００が表示されている。６０２において、１つまたは複数のアクセスポイントへの１つまたは複数の経路損失測定値を受信する。説明したように、これは、（たとえば、トレーニング期間などの一部としての）測定値の要求に基づき得る。その上、経路損失測定値は、デバイス、アクセスポイントにコロケートされたＮＬＭなどから受信され得る。６０４において、１つまたは複数のデバイスにプロビジョニングされる最大送信電力を取得する。たとえば、これは、最大送信電力をプロビジョニングする１つまたは複数の構成要素から決定され得る。６０６において、１つまたは複数の経路損失測定値と最大送信電力とに少なくとも部分的に基づいてＲｏＴしきい値を決定する。説明したように、経路損失測定値および最大送信電力の各々のＲｏＴしきい値を計算することができ、これら２つのうちの最小値をＲｏＴしきい値として設定することができる。
【００７８】
図７を参照すると、ＲｏＴしきい値を決定するための例示的な方法７００が示されている。７０２において、１つまたは複数のアクセスポイントのセットの少なくとも一部分への経路損失を測定し、報告するように１つまたは複数のデバイスを構成する。たとえば、説明したように、アクセスポイントのセットは、（たとえば、ネットワーク構成要素、デバイスなどから１つまたは複数のアクセスポイントのリストを受信すること、ＮＬＭなどを介して１つまたは複数のアクセスポイントを検出することなどから）決定され得る。この例では、デバイスがそこから信号を受信することが可能であるアクセスポイントのセットの経路損失を測定したいという要求が、１つまたは複数のデバイスに送られ得る。７０４において、１つまたは複数のデバイスから１つまたは複数のアクセスポイントのセットの一部分への経路損失測定値を受信する。たとえば、説明したように、これは、電力測定値、あるいは経路損失または同様のパラメータ（たとえば、ＲＳＣＰ、ＣＰＩＣＨ送信電力など）がそこから決定され得る他の測定値を受信することを含むことができる。７０６において、受信した経路損失測定値に基づいて、１つまたは複数のアクセスポイントのセットの少なくとも一部分の経路損失差ＣＤＦを構築する。説明したように、これは、アクセスポイントのセットのうちの１つまたは複数のアクセスポイントについて受信した経路損失測定値を決定することと、そこから別の経路損失を減算することとを含むことができる。７０８において、上記で説明したように、経路損失差ＣＤＦに少なくとも部分的に基づいてＲｏＴしきい値を決定する。
【００７９】
図８を参照すると、干渉を緩和するためにアクセスポイントの１つまたは複数のパラメータを調整するための例示的な方法８００が示されている。８０２において、１つまたは複数のアクセスポイントの最も強い送信電力を検出する。たとえば、これは、（たとえば、ＮＬＭを使用して、および／または１つまたは複数のデバイスから）近傍の１つまたは複数のアクセスポイントから信号を受信することと、どのアクセスポイントが最も強い信号電力を有するかを決定することとを含むことができる。８０４において、最も強い送信電力がフェムトセルアクセスポイントにおいて利用される送信電力を超えるかどうかを決定する。８０６において、最も強い送信電力が上記送信電力を超えるかどうかに少なくとも部分的に基づいて、少なくともフェムトセルアクセスポイントの推定雑音フロアを調整する。一例では、推定雑音フロアは、最も強い送信電力が上記送信電力を超える量によって調整され得る。別の例では、推定雑音フロアは、さらにセル外干渉に基づいて調整され得る。その上、たとえば、最も強い送信電力が上記送信電力を超えるかどうかに基づいて、ＲｏＴしきい値が同様に調整され得る。
【００８０】
図９を参照すると、１つまたは複数のデバイス上の雑音フロア増加をエンフォースすることを可能にする例示的な方法９００が示されている。９０２において、ＳＨＯにおいて１つまたは複数のアクセスポイントによってサービスされる１つまたは複数のデバイスの識別子を受信する。たとえば、これは、そのようなパラメータの要求に少なくとも部分的に基づき得る。９０４において、推定雑音フロアを増加させることを決定する。たとえば、これは、利用された送信電力よりも強いアクセスポイントにおける送信電力を検出することに少なくとも部分的に基づき得る。その上、推定雑音フロアは１つまたは複数のデバイスに固有であり得る。９０６において、１つまたは複数のデバイスとの通信における推定雑音フロア増加をエンフォースする。この点について、雑音フロアは、説明したように、サービスされるデバイス上では増加およびエンフォースされず、ＳＨＯを使用して通信される他のアクセスポイントによってサービスされるデバイス上で増加およびエンフォースされる。
【００８１】
本明細書で説明する１つまたは複数の態様によれば、説明したように、ＲｏＴしきい値、雑音フロア調整値などを計算することに関する推論が行われ得ることを諒解されよう。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたは行為を識別するために使用され得、あるいは、たとえば、状態の確率分布を生成することができる。推論は、確率的、すなわち、データおよびイベントの考察に基づく当該の状態の確率分布の計算であり得る。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたは行為が構成される。
【００８２】
図１０は、経路損失測定値を報告することを可能にするモバイルデバイス１０００の図である。モバイルデバイス１０００は、たとえば、受信アンテナ（図示せず）から信号を受信する受信機１００２を備え、受信信号に対して典型的な行為（たとえば、フィルタ処理、増幅、ダウンコンバートなど）を実行し、調整された信号をデジタル化してサンプルを得る。受信機１００２は、受信したシンボルを復調し、それらをチャネル推定のためにプロセッサ１００６に与えることができる復調器１００４を備えることができる。プロセッサ１００６は、受信機１００２によって受信された情報の分析および／または送信機１００８による送信のための情報の生成に専用のプロセッサ、モバイルデバイス１０００の１つまたは複数の構成要素を制御するプロセッサ、ならびに／あるいは受信機１００２によって受信された情報の分析、送信機１００８による送信のための情報の生成、およびモバイルデバイス１０００の１つまたは複数の構成要素の制御を行うプロセッサであり得る。
【００８３】
モバイルデバイス１０００は、さらに、メモリ１０１０を備えることができ、メモリ１０１０は、プロセッサ１００６に動作可能に結合され、送信すべきデータ、受信されたデータ、利用可能なチャネルに関係する情報、分析された信号および／または干渉強度に関連するデータ、割り当てられたチャネル、電力、レートなどに関係する情報、ならびにチャネルを推定し、そのチャネルを介して通信するための他の適切な情報を記憶することができる。メモリ１０１０は、さらに、（たとえば、パフォーマンスベース、容量ベースなど）チャネルの推定および／または利用、経路損失の報告など関連するプロトコルおよび／またはアルゴリズムを記憶することができる。
【００８４】
本明細書で説明するデータストア（たとえば、メモリ１０１０）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ１０１０は、これらおよび他の適切なタイプのメモリを、それらに限定されることなく、備えるものとする。
【００８５】
プロセッサ１００６は、さらに、随意に、経路損失測定構成要素２０８と同様であり得る経路損失測定構成要素１０１２と、経路損失報告構成要素２１０と同様であり得る経路損失報告構成要素１０１４と、測定要求構成要素３０６と同様であり得る測定要求受信構成要素１０１６とに動作可能に結合され得る。モバイルデバイス１０００は、またさらに、たとえば、基地局、別のモバイルデバイスなどへの送信機１００８による送信のための信号を変調する変調器１０１８を備える。その上、たとえば、モバイルデバイス１０００は、説明したように、複数のネットワークインターフェースのための複数の送信機１００８を備えることができる。プロセッサ１００６とは別個のものとして図示されているが、経路損失測定構成要素１０１２、経路損失報告構成要素１０１４、測定要求受信構成要素１０１６、復調器１００４、および／または変調器１０１８はプロセッサ１００６または複数のプロセッサ（図示せず）の一部であり得ることを諒解されたい。
【００８６】
図１１は、ワイヤレス通信を使用して１つまたは複数のデバイスと通信することを可能にするシステム１１００の図である。システム１１００は、実質的に任意の基地局（たとえば、フェムトセル、ピコセルなどの小さい基地局、モバイル基地局、．．．）、リレーなどであり得る基地局１１０２を備え、基地局／リレー１１０２は、（たとえば、説明したように、複数のネットワーク技術であり得る）複数の受信アンテナ１１０６を介して１つまたは複数のモバイルデバイス１１０４から（１つまたは複数の）信号を受信する受信機１１１０と、（たとえば、説明したように、複数のネットワーク技術であり得る）複数の送信アンテナ１１０８を介して１つまたは複数のモバイルデバイス１１０４に送信する送信機１１４０とを有する。さらに、一例では、送信機１１４０は、ワイヤードフロントリンク上でモバイルデバイス１１０４に送信することができる。受信機１１１０は、１つまたは複数の受信アンテナ１１０６から情報を受信することができ、受信された情報を復調する復調器１１１２と動作可能に結合される。さらに、一例では、受信機１１１０は、ワイヤードバックホールリンクから受信することができる。復調されたシンボルは、図１０に関して上記で説明したプロセッサと同様であり得るプロセッサ１１１４によって分析され、プロセッサ１１１４は、信号（たとえば、パイロット）強度および／または干渉強度、（１つまたは複数の）モバイルデバイス１１０４（または異種基地局（図示せず））に送信されるべきデータまたはそこから受信されるべきデータを推定することに関係する情報、および／または本明細書に記載した様々な行為および機能を実行することに関係する他の適切な情報を記憶するメモリ１１１６に結合される。
【００８７】
プロセッサ１１１４は、さらに、随意に、パラメータ受信構成要素２１２と同様であり得るパラメータ受信構成要素１１１８、ＲｏＴしきい値決定構成要素２１４と同様であり得るＲｏＴしきい値決定構成要素１１２０、ＲｏＴしきい値設定構成要素２１６と同様であり得るＲｏＴしきい値設定構成要素１１２２、ＮＬＭ構成要素２１８および／または４０８と同様であり得るＮＬＭ構成要素１１２４、経路損失差計算構成要素２２０と同様であり得る経路損失差構成要素１１２６、ならびに／あるいは測定要求構成要素３０８と同様であり得る測定要求構成要素１１２８に結合される。その上、たとえば、プロセッサ１１１４はまた、随意に、干渉決定構成要素４１０と同様であり得る干渉決定構成要素１１３０、雑音フロア調整構成要素４１２と同様であり得る雑音フロア調整構成要素１１３２、ＲｏＴしきい値調整構成要素４１４と同様であり得るＲｏＴしきい値調整構成要素１１３４、および／またはＳＨＯデバイス要求構成要素４１６と同様であり得るＳＨＯデバイス要求構成要素１１３６に結合され得る。
【００８８】
その上、たとえば、プロセッサ１１１４は、変調器１１３８を使用して送信されるべき信号を変調し、送信機１１４０を使用して被変調信号を送信することができる。送信機１１４０は、Ｔｘアンテナ１１０８上で信号をモバイルデバイス１１０４に送信することができる。さらに、プロセッサ１１１４とは別個のものとして図示されているが、パラメータ受信構成要素１１１８、ＲｏＴしきい値決定構成要素１１２０、ＲｏＴしきい値設定構成要素１１２２、ＮＬＭ構成要素１１２４、経路損失差計算構成要素１１２６、測定要求構成要素１１２８、干渉決定構成要素１１３０、雑音フロア調整構成要素１１３２、ＲｏＴしきい値調整構成要素１１３４、ＳＨＯデバイス要求構成要素１１３６、復調器１１１２、および／または変調器１１３８は、プロセッサ１１１４または複数のプロセッサ（図示せず）の一部であり得、および／またはプロセッサ１１１４による実行のためのメモリ１１１６中の命令として記憶され得ることを諒解されたい。
【００８９】
図１２を参照すると、ＲｏＴしきい値を決定するシステム１２００が示されている。たとえば、システム１２００は、少なくとも部分的にアクセスポイントなどの内に常駐することができる。システム１２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１２００は、連携して動作することができる電気的構成要素の論理グルーピング１２０２を含む。たとえば、論理グルーピング１２０２は、１つまたは複数のアクセスポイントに対応する１つまたは複数のパラメータを受信するための電気的構成要素１２０４を含むことができる。説明したように、たとえば、１つまたは複数のパラメータは、１つまたは複数のアクセスポイントへの経路損失測定値、（たとえば、絶対的な、あるいはフェムトセルアクセスポイントまたは他の基準ポイントに対する）１つまたは複数のアクセスポイントのロケーションに対応することができる。
【００９０】
さらに、論理グルーピング１２０２は、１つまたは複数のパラメータに少なくとも部分的に基づいてフェムトセルアクセスポイントのＲｏＴしきい値を決定するための電気的構成要素１２０６を備えることができる。たとえば、ＲｏＴしきい値は、上記で説明したように、１つまたは複数のデバイスへの干渉を緩和するために決定され得る。その上、論理グルーピング１２０２は、フェムトセルアクセスポイントにおいてＲｏＴしきい値を設定するための電気的構成要素１２０８を備えることができる。説明したように、たとえば、これは、フェムトセルアクセスポイントと通信しているデバイスに、送信電力を減少させることができ、それにより、１つまたは複数の他のアクセスポイントに生じる干渉を緩和することができる。一例では、電気的構成要素１２０４は、説明したように、パラメータ受信構成要素２１２を備えることができる。たとえば、電気的構成要素１２０６は、上記で説明したように、ＲｏＴしきい値決定構成要素２１４を含むことができる。さらに、たとえば、上記で説明したように、電気的構成要素１２０８は、一態様では、ＲｏＴしきい値設定構成要素２１６を含むことができる。
【００９１】
さらに、システム１２００は、電気的構成要素１２０４、１２０６、および１２０８に関連する機能を実行するための命令を保持するメモリ１２１０を含むことができる。メモリ１２１０の外部にあるものとして示されているが、電気的構成要素１２０４、１２０６、および１２０８のうちの１つまたは複数は、メモリ１２１０の内部に存在することができることを理解されたい。一例では、電気的構成要素１２０４、１２０６、および１２０８は、少なくとも１つのプロセッサを備えることができるか、または、各電気的構成要素１２０４、１２０６、および１２０８は、少なくとも１つのプロセッサの対応するモジュールであり得る。さらに、追加または代替の例では、電気的構成要素１２０４、１２０６、および１２０８は、コンピュータ可読媒体を備えるコンピュータプログラム製品であり得、各電気的構成要素１２０４、１２０６、および１２０８は、対応するコードであり得る。
【００９２】
図１３を参照すると、干渉を緩和するためにフェムトセルアクセスポイントの１つまたは複数のパラメータを調整するシステム１３００が示されている。たとえば、システム１３００は、少なくとも部分的にデバイスなどの内に常駐することができる。システム１３００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１３００は、連携して動作することができる電気的構成要素の論理グルーピング１３０２を含む。たとえば、論理グルーピング１３０２は、１つまたは複数のアクセスポイントの最も強い送信電力を検出するための電気的構成要素１３０４を含むことができる。説明したように、たとえば、これは、１つまたは複数の近隣アクセスポイントからの信号を受信することと、それらの信号のうちの最も強い信号を決定することとを含むことができる。
【００９３】
さらに、論理グルーピング１３０２は、最も強い送信電力がフェムトセルアクセスポイントの送信電力を超えるかどうかを決定することに少なくとも部分的に基づいて、フェムトセルアクセスポイントの推定雑音フロアを調整するための電気的構成要素１３０６を備えることができる。説明したように、たとえば、電気的構成要素１３０６は、雑音フロアを送信電力の差に設定することができる。たとえば、電気的構成要素１３０４は、上記で説明したように、干渉決定構成要素４１０を含むことができる。さらに、たとえば、上記で説明したように、電気的構成要素１３０６は、一態様では、雑音フロア調整構成要素４１２を含むことができる。
【００９４】
さらに、システム１３００は、電気的構成要素１３０４および１３０６に関連する機能を実行するための命令を保持するメモリ１３０８を含むことができる。メモリ１３０８の外部にあるものとして示されているが、電気的構成要素１３０４および１３０６のうちの１つまたは複数は、メモリ１３０８の内部に存在することができることを理解されたい。一例では、電気的構成要素１３０４および１３０６は、少なくとも１つのプロセッサを備えることができるか、または、各電気的構成要素１３０４および１３０６は、少なくとも１つのプロセッサの対応するモジュールであり得る。さらに、追加または代替の例では、電気的構成要素１３０４および１３０６は、コンピュータ可読媒体を備えるコンピュータプログラム製品とすることができ、各電気的構成要素１３０４および１３０６は、対応するコードであり得る。
【００９５】
次に図１４を参照すると、本明細書で提示する様々な実施形態によるワイヤレス通信システム１４００が示されている。システム１４００は、複数のアンテナグループを含むことができる基地局１４０２を備える。たとえば、１つのアンテナグループはアンテナ１４０４および１４０６を含み、別のグループはアンテナ１４０８および１４１０を備え、さらなるグループはアンテナ１４１２および１４１４を含むことができる。アンテナグループごとに２つのアンテナが示されているが、グループごとにより多いまたはより少ないアンテナが利用され得る。基地局１４０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を備えることができる。
【００９６】
基地局１４０２は、モバイルデバイス１４１６およびモバイルデバイス１４２２など１つまたは複数のモバイルデバイスと通信することができるが、基地局１４０２は、モバイルデバイス１４１６および１４２２と同様の実質的にいかなる数のモバイルデバイスとも通信することができることを諒解されたい。モバイルデバイス１４１６および１４２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１４００を介して通信するための他の適切なデバイスであり得る。図示のように、モバイルデバイス１４１６は、アンテナ１４１２および１４１４と通信しており、アンテナ１４１２および１４１４は、順方向リンク１４１８を介して情報をモバイルデバイス１４１６に送信し、逆方向リンク１４２０を介してモバイルデバイス１４１６から情報を受信する。さらに、モバイルデバイス１４２２はアンテナ１４０４および１４０６と通信しており、アンテナ１４０４および１４０６は、順方向リンク１４２４を介して情報をモバイルデバイス１４２２に送信し、逆方向リンク１４２６を介してモバイルデバイス１４２２から情報を受信する。周波数分割複信（ＦＤＤ）システムでは、たとえば、順方向リンク１４１８は、逆方向リンク１４２０によって使用される周波数帯域とは異なる周波数帯域を利用し、順方向リンク１４２４は、逆方向リンク１４２６によって採用される周波数帯域とは異なる周波数帯域を採用することができる。さらに、時分割複信（ＴＤＤ）システムでは、順方向リンク１４１８および逆方向リンク１４２０は共通の周波数帯を利用し、順方向リンク１４２４および逆方向リンク１４２６は共通の周波数帯を利用することができる。
【００９７】
アンテナの各グループおよび／またはそれらが通信するように指定されたエリアは、基地局１４０２のセクタと呼ばれることがある。たとえば、基地局１４０２によってカバーされるエリアのセクタ中のモバイルデバイスに通信するようにアンテナグループを設計することができる。順方向リンク１４１８および１４２４を介した通信では、基地局１４０２の送信アンテナは、モバイルデバイス１４１６および１４２２についての順方向リンク１４１８および１４２４の信号対雑音比を向上させるためにビームフォーミングを利用することができる。さらに、基地局１４０２が、関連するカバレージ中に不規則に散在するモバイルデバイス１４１６および１４２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス１４１６および１４２２は、図示のようにピアツーピアまたはアドホック技術を使用して互いに直接通信することができる。一例によれば、システム１４００は多入力多出力（ＭＩＭＯ）通信システムとすることができる。さらに、たとえば、基地局１４０２は、説明したように、１つまたは複数のアクセスポイントへの１つまたは複数の経路損失測定値、検出されたセル外干渉などに基づいて、他のアクセスポイント（図示せず）に干渉しないようにＲｏＴしきい値、雑音フロア、または他のパラメータを設定することができる。
【００９８】
図１５に、例示的なワイヤレス通信システム１５００を示す。ワイヤレス通信システム１５００には、簡潔のために、１つの基地局１５１０と、１つのモバイルデバイス１５５０とを示してある。ただし、システム１５００は２つ以上の基地局および／または２つ以上のモバイルデバイスを含むことができ、追加の基地局および／またはモバイルデバイスは、以下で説明する例示的な基地局１５１０およびモバイルデバイス１５５０と実質的に同様または異なるものとすることができることを諒解されたい。さらに、基地局１５１０および／またはモバイルデバイス１５５０は、それらの間のワイヤレス通信を可能にするために、本明細書で説明するシステム（図１〜図４および図１１〜図１４）、モバイルデバイス（図１０）、および／または方法（図５〜図９）を採用することができることを諒解されたい。たとえば、本願明細書で説明するシステムの構成要素または機能および／あるいは方法は、メモリ１５３２および／または１５７２の一部、あるいは以下で説明するプロセッサ１５３０および／または１５７０であり得、ならびに／あるいは開示する機能を実行するために、プロセッサ１５３０および／または１５７０によって実行され得る。
【００９９】
基地局１５１０において、いくつかのデータストリームのトラフィックデータがデータソース１５１２から送信（ＴＸ）データプロセッサ１５１４に供給される。一例によれば、各データストリームはそれぞれのアンテナを介して送信され得る。ＴＸデータプロセッサ１５１４は、トラフィックデータストリーム用に選択された特定のコーディング方式に基づいてそのデータストリームをフォーマットし、コーディングし、インタリーブして、符号化データを供給する。
【０１００】
各データストリームの符号化データは、直交周波数分割多重（ＯＦＤＭ）技法を使用してパイロットデータで多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにモバイルデバイス１５５０において使用され得る。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータ速度、コーディング、および変調は、プロセッサ１５３０によって実行または与えられる命令によって決定され得る。
【０１０１】
データストリームの変調シンボルはＴＸ  ＭＩＭＯプロセッサ１５２０に与えられ、ＴＸ  ＭＩＭＯプロセッサ１５２０は、さらに（たとえば、ＯＦＤＭ用に）変調シンボルを処理することができる。次いで、ＴＸ  ＭＩＭＯプロセッサ１５２０は、ＮT個の変調シンボルストリームをＮT個の送信機（ＴＭＴＲ）１５２２ａ〜１５２２ｔに供給する。様々な実施形態では、ＴＸ  ＭＩＭＯプロセッサ１５２０は、データストリームのシンボルと、シンボルの送信元のアンテナとにビームフォーミング重みを適用する。
【０１０２】
各送信機１５２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機１５２２ａ〜１５２２ｔからのＮT個の被変調信号は、ＮT個のアンテナ１５２４ａ〜１５２４ｔからそれぞれ送信される。
【０１０３】
モバイルデバイス１５５０において、送信された被変調信号はＮR個のアンテナ１５５２ａ〜１５５２ｒによって受信され、各アンテナ１５５２からの受信信号は、それぞれの受信機（ＲＣＶＲ）１５５４ａ〜１５５４ｒに供給される。各受信機１５５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【０１０４】
ＲＸデータプロセッサ１５６０は、特定の受信機処理技法に基づいてＮR個の受信機１５５４からＮR個の受信シンボルストリームを受信し、処理して、ＮT個の「検出」シンボルストリームを与えることができる。ＲＸデータプロセッサ１５６０は、各検出シンボルストリームを復調し、デインタリーブし、復号して、データストリームのトラフィックデータを復元することができる。ＲＸデータプロセッサ１５６０による処理は、基地局１５１０においてＴＸ  ＭＩＭＯプロセッサ１５２０およびＴＸデータプロセッサ１５１４によって実行される処理を補足するものである。
【０１０５】
逆方向リンクメッセージは、通信リンクおよび／または受信データストリームに関する様々なタイプの情報を備えることができる。逆方向リンクメッセージは、データソース１５３８からいくつかのデータストリームのトラフィックデータをも受信するＴＸデータプロセッサ１５３６によって処理され、変調器１５８０によって変調され、送信機１５５４ａ〜１５５４ｒによって調整され、基地局１５１０に戻される。
【０１０６】
基地局１５１０において、モバイルデバイス１５５０からの変調信号は、アンテナ１５２４によって受信され、受信機１５２２によって調整され、復調器１５４０によって復調され、ＲＸデータプロセッサ１５４２によって処理されて、モバイルデバイス１５５０によって送信された逆方向リンクメッセージが抽出される。さらに、プロセッサ１５３０は、抽出されたメッセージを処理して、ビームフォーミング重みを決定するためにどのプリコーディング行列を使用すべきかを決定することができる。
【０１０７】
プロセッサ１５３０および１５７０は、それぞれ基地局１５１０およびモバイルデバイス１５５０における動作を指示（たとえば、制御、調整、管理など）することができる。それぞれのプロセッサ１５３０および１５７０は、プログラムコードおよびデータを記憶するメモリ１５３２および１５７２に関連付けできる。プロセッサ１５３０および１５７０は、説明したように、ＲｏＴしきい値、雑音フロア調整値、経路損失測定値などを決定することができる。
【０１０８】
図１６に、本明細書の教示が実装され得る、何人かのユーザをサポートするように構成されたワイヤレス通信システム１６００を示す。システム１６００は、たとえば、マクロセル１６０２Ａ〜１６０２Ｇなど、複数のセル１６０２の通信を可能にし、各セルは、対応するアクセスノード１６０４（たとえば、アクセスノード１６０４Ａ〜１６０４Ｇ）によってサービスされる。図１６に示すように、アクセス端末１６０６（たとえば、アクセス端末１６０６Ａ〜１６０６Ｌ）は、時間とともにシステム全体にわたって様々なロケーションに分散され得る。各アクセス端末１６０６は、たとえば、アクセス端末１６０６がアクティブかどうか、およびアクセス端末１６０６がソフトハンドオフ中かどうかに応じて、所与の瞬間に順方向リンク（ＦＬ）および／または逆方向リンク（ＲＬ）上で１つまたは複数のアクセスノード１６０４と通信することができる。ワイヤレス通信システム１６００は広い地理的領域にわたってサービスを提供することができる。
【０１０９】
図１７に、１つまたは複数のフェムトノードがネットワーク環境内に展開された例示的な通信システム１７００を示す。特に、システム１７００は、比較的小規模のネットワーク環境中に（たとえば、１つまたは複数のユーザ住居１７３０中に）設置された複数のフェムトノード１７１０Ａおよび１７１０Ｂ（たとえば、フェムトセルノードまたはＨ（ｅ）ＮＢ）を含む。各フェムトノード１７１０は、デジタル加入者回線（ＤＳＬ）ルータ、ケーブルモデム、ワイヤレスリンク、または他の接続手段（図示せず）を介して、ワイドエリアネットワーク１７４０（たとえば、インターネット）とモバイル事業者コアネットワーク１７５０とに結合され得る。以下で説明するように、各フェムトノード１７１０は、関連するアクセス端末１７２０（たとえば、アクセス端末１７２０Ａ）、および、随意に、外来（alien）アクセス端末１７２０（たとえば、アクセス端末１７２０Ｂ）をサービスするように構成され得る。言い換えれば、フェムトノード１７１０へのアクセスは、所与のアクセス端末１７２０が、指定された（１つまたは複数の）（たとえば、ホーム）フェムトノード１７１０のセットによってサービスされ得るが、指定されていないフェムトノード１７１０（たとえば、ネイバーのフェムトノード（neighbor’s femto node））によってはサービスされ得ないように制限され得る。
【０１１０】
図１８に、いくつかのトラッキングエリア１８０２（またはルーティングエリアまたはロケーションエリア）が画定されたカバレージマップ１８００の例を示し、そのエリアの各々はいくつかのマクロカバレージエリア１８０４を含む。ここで、トラッキングエリア１８０２Ａ、１８０２Ｂ、および１８０２Ｃに関連するカバレージのエリアは太線によって示され、マクロカバレージエリア１８０４は六角形によって表される。トラッキングエリア１８０２はフェムトカバレージエリア１８０６をも含む。この例では、フェムトカバレージエリア１８０６（たとえば、フェムトカバレージエリア１８０６Ｃ）の各々は、マクロカバレージエリア１８０４（たとえば、マクロカバレージエリア１８０４Ｂ）内に示される。ただし、フェムトカバレージエリア１８０６は、完全にマクロカバレージエリア１８０４内にあるわけではないことを諒解されたい。実際には、多数のフェムトカバレージエリア１８０６が所与のトラッキングエリア１８０２またはマクロカバレージエリア１８０４とともに画定され得る。また、１つまたは複数のピコカバレージエリア（図示せず）が所与の追跡エリア１８０２またはマクロカバレージエリア１８０４内に画定され得る。
【０１１１】
再び図１７を参照すると、フェムトノード１７１０の所有者は、たとえば、３Ｇモバイルサービスなど、モバイル事業者コアネットワーク１７５０を介して提供されるモバイルサービスに加入することができる。さらに、アクセス端末１７２０は、マクロ環境と、より小規模の（たとえば、宅内）ネットワーク環境の両方で動作することが可能であり得る。したがって、たとえば、アクセス端末１７２０の現在ロケーションに応じて、アクセス端末１７２０は、アクセスノード１７６０によって、または、フェムトノード１７１０のセットのうちのいずれか１つ（たとえば、対応するユーザ住居１７３０内に常駐するフェムトノード１７１０Ａおよび１７１０Ｂ）によってサービスされ得る。たとえば、加入者は、自宅の外にいるときは標準のマクロセルアクセスノード（たとえば、ノード１７６０）によってサービスされ、自宅にいるときはフェムトノード（たとえば、ノード１７１０Ａ）によってサービスされる。ここで、フェムトノード１７１０は既存のアクセス端末１７２０と後方互換性があり得ることを諒解されたい。
【０１１２】
フェムトノード１７１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード１７６０）によって使用される１つまたは複数の周波数と重複することがある。いくつかの態様では、アクセス端末１７２０は、そのような接続性が可能であるときはいつでも、好ましいフェムトノード（たとえば、アクセス端末１７２０のホームフェムトノード）に接続するように構成され得る。たとえば、アクセス端末１７２０は、ユーザの住居１７３０内にあるときはいつでも、ホームフェムトノード１７１０と通信することができる。
【０１１３】
いくつかの態様では、アクセス端末１７２０がモバイル事業者コアネットワーク１７５０内で動作しているが、（たとえば、好適ローミングリスト中で定義された）その最も好適なネットワーク上に常駐していない場合、アクセス端末１７２０は、ベターシステムリセレクション（ＢＳＲ：Better System Reselection）を使用して、最も好適なネットワーク（たとえば、フェムトノード１７１０）を探索し続けることができ、ベターシステムリセレクションでは、より良好なシステムが現在利用可能であるかどうかを決定するために利用可能なシステムの周期的スキャニングを行い、その後、そのような好適なシステムに関連付けようとすることができる。（たとえば、好適ローミングリスト中の）収集テーブルエントリを使用して、一例では、アクセス端末１７２０は、特定の帯域およびチャネルについて探索を制限することができる。たとえば、最も好適なシステムの探索が周期的に繰り返され得る。フェムトノード１７１０など好適なフェムトノードが発見されると、アクセス端末１７２０は、そのカバレージエリア内にキャンプするためのフェムトノード１７１０を選択する。
【０１１４】
フェムトノードは、いくつかの態様では、制限され得る。たとえば、所与のフェムトノードが、いくつかのサービスをいくつかのアクセス端末のみに提供し得る。いわゆる制限（または限定）された関連付けを用いた展開では、所与のアクセス端末が、マクロセルモバイルネットワークと、フェムトノードの定義されたセット（たとえば、対応するユーザ住居１７３０内に常駐するフェムトノード１７１０）とのみによってサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１１５】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１１６】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。外来フェムトノードは、おそらく非常事態（たとえば、９１１番）を除いて、アクセス端末がアクセスまたはその上で動作することを許可されないフェムトノードを指すことがある。
【０１１７】
制限フェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。外来アクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【０１１８】
便宜のために、本明細書の開示では、フェムトノードの文脈で様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【０１１９】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）は基地局から端末への通信リンクを指し、逆方向リンク（またはアップリンク）は端末から基地局への通信リンクを指す。この通信リンクは、単入力単出力システム、ＭＩＭＯシステム、または何らかの他のタイプのシステムを介して確立され得る。
【０１２０】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上述のステップおよび／または行為の１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【０１２１】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１２２】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
【図１】
2014239498.tif 000014
【図２】
2014239498.tif 000015
【図３】
2014239498.tif 000016
【図４】
2014239498.tif 000017
【図５】
2014239498.tif 000018
【図６】
2014239498.tif 000019
【図７】
2014239498.tif 000020
【図８】
2014239498.tif 000021
【図９】
2014239498.tif 000022
【図１０】
2014239498.tif 000023
【図１１】
2014239498.tif 000024
【図１２】
2014239498.tif 000025
【図１３】
2014239498.tif 000026
【図１４】
2014239498.tif 000027
【図１５】
2014239498.tif 000028
【図１６】
2014239498.tif 000029
【図１７】
2014239498.tif 000030
【図１８】
2014239498.tif 000031
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
干渉を決定することに基づいてアクセスポイントのパラメータを調整するための方法であって、
１つまたは複数のアクセスポイントの最も強い送信電力を検出することと、
前記最も強い送信電力がフェムトセルアクセスポイントにおいて利用される送信電力を超えるかどうかを決定することと、
前記最も強い送信電力が前記フェムトセルアクセスポイントにおいて利用される送信電力を超えるかどうかに少なくとも部分的に基づいて、前記フェムトセルアクセスポイントの推定雑音フロアを調整することとを備える、方法。
【請求項２】
セル外干渉のレベルを推定することをさらに備え、前記推定雑音フロアを前記調整することがさらに、前記セル外干渉のレベルに少なくとも部分的に基づく、請求項１に記載の方法。
【請求項３】
前記セル外干渉のレベルを前記推定することが、ある時間期間中に雑音を測定することを備える、請求項２に記載の方法。
【請求項４】
前記最も強い送信電力が前記フェムトセルアクセスポイントにおいて利用される送信電力を超えるかどうかに少なくとも部分的に基づいて、前記フェムトセルアクセスポイントのライズオーバサーマルしきい値を調整することをさらに備える、請求項１に記載の方法。
【請求項５】
前記推定雑音フロアを前記調整することが、ソフトハンドオーバにおいて異なるアクセスポイントによってサービスされる所与のデバイスについて、前記フェムトセルアクセスポイントの前記推定雑音フロアを調整することを備える、請求項１に記載の方法。
【請求項６】
ソフトハンドオーバにおいて前記アクセスポイントによってサービスされるデバイスの識別子を要求することと、
前記要求に少なくとも部分的に基づいて、前記異なるアクセスポイントから前記所与のデバイスの識別子を受信することとをさらに備える、請求項５に記載の方法。
【請求項７】
前記少なくとも１つのデバイスとの通信のために前記推定雑音フロアをエンフォースすることをさらに備える、請求項１に記載の方法。
【請求項８】
干渉を決定することに基づいてアクセスポイントのパラメータを調整するための装置であって、
１つまたは複数のアクセスポイントの最も強い送信電力を検出することと、
前記最も強い送信電力がフェムトセルアクセスポイントにおいて利用される送信電力を超えるかどうかを決定することと、
前記最も強い送信電力が前記フェムトセルアクセスポイントにおいて利用される送信電力を超えるかどうかに少なくとも部分的に基づいて、前記フェムトセルアクセスポイントの雑音フロアを調整することとを行うように構成された少なくとも１つのプロセッサと、
前記少なくとも１つのプロセッサに結合されたメモリとを備える、装置。
【請求項９】
前記少なくとも１つのプロセッサが、セル外干渉のレベルを推定するようにさらに構成され、前記少なくとも１つのプロセッサが、さらに前記セル外干渉のレベルに少なくとも部分的に基づいて前記雑音フロアを調整する、請求項８に記載の装置。
【請求項１０】
前記少なくとも１つのプロセッサは、前記最も強い送信電力が前記フェムトセルアクセスポイントにおいて利用される送信電力を超えるかどうかに少なくとも部分的に基づいて、前記フェムトセルアクセスポイントのライズオーバサーマルしきい値を調整するようにさらに構成された、請求項８に記載の装置。
【請求項１１】
前記少なくとも１つのプロセッサが、ソフトハンドオーバにおいて異なるアクセスポイントによってサービスされる所与のデバイスについて、前記フェムトセルアクセスポイントの前記雑音フロアを調整する、請求項８に記載の装置。
【請求項１２】
前記少なくとも１つのプロセッサが、ソフトハンドオーバにおいて前記アクセスポイントによってサービスされるデバイスの識別子を要求し、前記要求に少なくとも部分的に基づいて、前記異なるアクセスポイントから前記所与のデバイスの識別子を受信するようにさらに構成された、請求項１１に記載の装置。
【請求項１３】
干渉を決定することに基づいてアクセスポイントのパラメータを調整するための装置であって、
１つまたは複数のアクセスポイントの最も強い送信電力を検出するための手段と、
前記最も強い送信電力がフェムトセルアクセスポイントの送信電力を超えるかどうかを決定することに少なくとも部分的に基づいて、前記フェムトセルアクセスポイントの雑音フロアを調整するための手段とを備える、装置。
【請求項１４】
前記検出するための手段が、セル外干渉のレベルをさらに推定し、前記調整するための手段が、さらに前記セル外干渉のレベルに少なくとも部分的に基づいて前記雑音フロアを調整する、請求項１３に記載の装置。
【請求項１５】
前記最も強い送信電力が前記フェムトセルアクセスポイントの送信電力を超えるかどうかに少なくとも部分的に基づいて、前記フェムトセルアクセスポイントのライズオーバサーマルしきい値を調整するための手段をさらに備える、請求項１３に記載の装置。
【請求項１６】
前記調整するための手段が、ソフトハンドオーバにおいて異なるアクセスポイントによってサービスされる所与のデバイスについて、前記フェムトセルアクセスポイントの前記雑音フロアを調整する、請求項１３に記載の装置。
【請求項１７】
ソフトハンドオーバにおいて前記アクセスポイントによってサービスされるデバイスの識別子を要求し、前記要求に少なくとも部分的に基づいて、前記異なるアクセスポイントから前記所与のデバイスの識別子を受信するための手段をさらに備える、請求項１６に記載の装置。
【請求項１８】
干渉を決定することに基づいてアクセスポイントのパラメータを調整するためのコンピュータ可読記憶媒体であって、
少なくとも１つのコンピュータに、１つまたは複数のアクセスポイントの最も強い送信電力を検出させるためのコードと、
前記少なくとも１つのコンピュータに、前記最も強い送信電力がフェムトセルアクセスポイントにおいて利用される送信電力を超えるかどうかを決定させるためのコードと、
前記少なくとも１つのコンピュータに、前記最も強い送信電力が前記フェムトセルアクセスポイントにおいて利用される送信電力を超えるかどうかに少なくとも部分的に基づいて、前記フェムトセルアクセスポイントの雑音フロアを調整させるためのコードとを備えるコンピュータ可読記憶媒体。
【請求項１９】
前記少なくとも１つのコンピュータにセル外干渉のレベルを推定させるためのコードをさらに備え、前記少なくとも１つのコンピュータに調整させるためのコードが、さらに前記セル外干渉のレベルに少なくとも部分的に基づいて前記雑音フロアを調整する、請求項１８に記載のコンピュータ可読記憶媒体。
【請求項２０】
前記少なくとも１つのコンピュータに、前記最も強い送信電力が前記フェムトセルアクセスポイントにおいて利用される送信電力を超えるかどうかに少なくとも部分的に基づいて、前記フェムトセルアクセスポイントのライズオーバサーマルしきい値を調整させるためのコードをさらに備える、請求項１８に記載のコンピュータ可読記憶媒体。
【請求項２１】
前記少なくとも１つのコンピュータに調整させるためのコードが、ソフトハンドオーバにおいて異なるアクセスポイントによってサービスされる所与のデバイスについて、前記フェムトセルアクセスポイントの前記雑音フロアを調整する、請求項１８に記載のコンピュータ可読記憶媒体。
【請求項２２】
前記少なくとも１つのコンピュータに、ソフトハンドオーバにおいて前記アクセスポイントによってサービスされるデバイスの識別子を要求させ、前記要求に少なくとも部分的に基づいて、前記異なるアクセスポイントから前記所与のデバイスの識別子を受信させるためのコードをさら備える、請求項２１に記載のコンピュータ可読記憶媒体。
【請求項２３】
干渉を決定することに基づいてアクセスポイントのパラメータを調整するための装置であって、
１つまたは複数のアクセスポイントの最も強い送信電力を検出するための干渉決定構成要素と、
前記最も強い送信電力がフェムトセルアクセスポイントの送信電力を超えるかどうかを決定することに少なくとも部分的に基づいて、前記フェムトセルアクセスポイントの雑音フロアを調整するための雑音フロア調整構成要素とを備える、装置。
【請求項２４】
前記干渉決定構成要素がセル外干渉のレベルをさらに推定し、前記雑音フロア調整構成要素が、さらに前記セル外干渉のレベルに少なくとも部分的に基づいて前記雑音フロアを調整する、請求項２３に記載の装置。
【請求項２５】
前記干渉決定構成要素が、少なくとも部分的に、ある時間期間中に雑音を測定することによって前記セル外干渉のレベルを推定する、請求項２４に記載の装置。
【請求項２６】
前記最も強い送信電力が前記フェムトセルアクセスポイントにおいて利用される送信電力を超えるかどうかに少なくとも部分的に基づいて、前記フェムトセルアクセスポイントのライズオーバサーマル（ＲｏＴ）しきい値を調整するためのＲｏＴしきい値調整構成要素をさらに備える、請求項２３に記載の装置。
【請求項２７】
前記雑音フロア調整構成要素が、ソフトハンドオーバにおいて異なるアクセスポイントによってサービスされる所与のデバイスについて、前記フェムトセルアクセスポイントの前記雑音フロアを調整する、請求項２３に記載の装置。
【請求項２８】
ソフトハンドオーバ（ＳＨＯ）において前記アクセスポイントによってサービスされるデバイスの識別子を要求し、前記要求に少なくとも部分的に基づいて、前記異なるアクセスポイントから前記所与のデバイスの識別子を受信するためのＳＨＯデバイス要求構成要素をさらに備える、請求項２７に記載の装置。
【請求項２９】
前記雑音フロア調整構成要素が、前記雑音フロアを少なくとも１つのデバイスに報告する、請求項２３に記載の装置。
【手続補正２】
【補正対象書類名】明細書
【補正対象項目名】００１４
【補正方法】変更
【補正の内容】
【００１４】
別の例によれば、干渉を決定することに基づいてアクセスポイントのパラメータを調整するための方法が提供される。本方法は、１つまたは複数のアクセスポイントの最も強い送信電力を検出することと、最も強い送信電力がフェムトセルアクセスポイントにおいて利用される送信電力を超えるかどうかを決定することとを含む。本方法は、最も強い送信電力がフェムトセルアクセスポイントにおいて利用される送信電力を超えるかどうかに少なくとも部分的に基づいて、フェムトセルアクセスポイントの推定雑音フロア（estimated noise floor）を調整することをさらに含む。
【手続補正３】
【補正対象書類名】明細書
【補正対象項目名】００１５
【補正方法】変更
【補正の内容】
【００１５】
別の態様では、干渉を決定することに基づいてアクセスポイントのパラメータを調整するための装置が提供される。本装置は、１つまたは複数のアクセスポイントの最も強い送信電力を検出することと、最も強い送信電力がフェムトセルアクセスポイントにおいて利用される送信電力を超えるかどうかを決定することとを行うように構成された少なくとも１つのプロセッサを含む。少なくとも１つのプロセッサは、最も強い送信電力がフェムトセルアクセスポイントにおいて利用される送信電力を超えるかどうかに少なくとも部分的に基づいて、フェムトセルアクセスポイントの雑音フロアを調整することを行うようにさらに構成される。本装置はまた、少なくとも１つのプロセッサに結合されたメモリを含む。
【手続補正４】
【補正対象書類名】明細書
【補正対象項目名】００１７
【補正方法】変更
【補正の内容】
【００１７】
さらに、別の態様では、少なくとも１つのコンピュータに、１つまたは複数のアクセスポイントの最も強い送信電力を検出させるためのコードと、少なくとも１つのコンピュータに、最も強い送信電力がフェムトセルアクセスポイントにおいて利用される送信電力を超えるかどうかを決定させるためのコードとを有するコンピュータ可読媒体を含む、干渉を決定することに基づいてアクセスポイントのパラメータを調整するためのコンピュータプログラム製品が提供される。本コンピュータ可読媒体は、少なくとも１つのコンピュータに、最も強い送信電力がフェムトセルアクセスポイントにおいて利用される送信電力を超えるかどうかに少なくとも部分的に基づいて、フェムトセルアクセスポイントの雑音フロアを調整させるためのコードをさらに含む。
【手続補正５】
【補正対象書類名】明細書
【補正対象項目名】００５１
【補正方法】変更
【補正の内容】
【００５１】
デバイス２０２などのデバイスからアクセスポイント２０６などの１つまたは複数のアクセスポイントへの経路損失測定値が収集されると、経路損失差計算構成要素２２０は、それについての経路損失測定値が受信される各アクセスポイントの経路損失差報告または累積密度関数（ＣＤＦ）を生成することができる。たとえば、デバイスによって報告された、サービングアクセスポイント２０４の各経路損失測定値ＰＬFについて、経路損失差計算構成要素２２０は、最も近い時間に報告されたデバイスによって、別のアクセスポイントへのｋ番目の経路損失サンプルＰＬM,kの位置を特定し、差ＰＬM,k−ＰＬFを計算することができる。したがって、経路損失差計算構成要素２２０は、各報告されたＰＬFについてＰＬM,k−ＰＬFのセットを計算することができ、対応する経路損失差ＣＤＦを構築することができる。別の例では、経路損失差計算構成要素２２０は、トレーニング期間中に報告されたＰＬFサンプルに基づいて、ＣＤＦを構築することができる。説明したように、ＲｏＴしきい値決定構成要素２１４は、（たとえば、上記のＦｕｎｃ１またはＦｕｎｃ２において経路損失差を使用することによって）ＲｏＴしきい値を決定する際に、経路損失差ＣＤＦを利用することができる。
【手続補正６】
【補正対象書類名】明細書
【補正対象項目名】００６１
【補正方法】変更
【補正の内容】
【００６１】
代替的に、パラメータ受信構成要素２１２がＮＬＭ構成要素２１８を使用して経路損失差を特徴づける場合、パラメータ受信構成要素２１２は、アクセスポイント３０４の仮定経路損失（たとえば、ダウンリンク送信電力に基づいて９０デシベル（ｄＢ）カバレージ半径）とともに、ＮＬＭ構成要素２１８から収集されたアクセスポイントのセット中のアクセスポイントの測定経路損失を使用して、経路損失差を計算することができる。いずれの例でも、ＲｏＴしきい値決定構成要素２１４は、差ＣＤＦ、またはアクセスポイントのセット中のアクセスポイントへの他の計算された経路損失差に少なくとも部分的に基づいて、アクセスポイント３０４のＲｏＴしきい値を決定することができる。たとえば、ＲｏＴしきい値決定構成要素２１４は、最も低い経路損失測定値ＰＬM（ｉ）または経路損失測定値の差ＰＬM（ｉ）−ＰＬFを有するアクセスポイントのセット中のアクセスポイントへの経路損失に少なくとも部分的に基づいてＲｏＴしきい値を決定することができる。
【手続補正７】
【補正対象書類名】明細書
【補正対象項目名】００７６
【補正方法】変更
【補正の内容】
【００７６】
図５を参照すると、ＲｏＴしきい値を決定することを可能にする例示的な方法５００が表示されている。５０２において、１つまたは複数のアクセスポイントに対応する１つまたは複数のパラメータが受信される。たとえば、１つまたは複数のパラメータは、１つまたは複数のアクセスポイントの無線状態（たとえば、１つまたは複数のアクセスポイントへ経路損失測定値）、フェムトセルアクセスポイントに対する１つまたは複数のアクセスポイントのロケーションなどに対応することができる。その上、一例では、１つまたは複数のパラメータは、したがって、（たとえば、トレーニング期間の一部としての測定値の要求に基づいて）ＮＬＭ、１つまたは複数のデバイスなどから受信され得る。その上、たとえば、１つまたは複数のパラメータは、上記で説明したように、最大送信電力、経路損失統計などに関係することがあり、そこからＲｏＴしきい値を決定することができる。５０４において、１つまたは複数のパラメータに少なくとも部分的に基づいてフェムトセルアクセスポイントのＲｏＴしきい値を決定する。５０６において、フェムトセルアクセスポイントにおいてＲｏＴしきい値を設定する。たとえば、これにより、１つまたは複数のデバイスが、フェムトセルアクセスポイントと通信するために使用される送信電力を調整することができる。
【手続補正８】
【補正対象書類名】明細書
【補正対象項目名】０１２２
【補正方法】変更
【補正の内容】
【０１２２】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
以下に、出願当初の特許請求の範囲に記載された発明を付記する。
［１］フェムトセルアクセスポイントのライズオーバサーマル（ＲｏＴ）しきい値を設定するための方法であって、
１つまたは複数のアクセスポイントに対応する１つまたは複数のパラメータを受信することと、
前記１つまたは複数のパラメータに少なくとも部分的に基づいて前記フェムトセルアクセスポイントのＲｏＴしきい値を決定することと、
前記フェムトセルアクセスポイントにおいて前記ＲｏＴしきい値を設定することとを備える、方法。
［２］前記１つまたは複数のパラメータを前記受信することが、前記フェムトセルアクセスポイントへの少なくとも１つのデバイスの第１の経路損失測定値を取得することと、第２のアクセスポイントへの前記少なくとも１つのデバイスの第２の経路損失測定値を取得することとを備える、［１］に記載の方法。
［３］前記１つまたは複数のパラメータを前記受信することが、少なくとも別のデバイスから前記フェムトセルアクセスポイントへの追加の第１の経路損失測定値を取得することと、前記少なくとも別のデバイスから前記第２のアクセスポイントへの追加の第２の経路損失測定値を取得することを備え、前記ＲｏＴしきい値を前記決定することがさらに、前記追加の第１の経路損失測定値と前記追加の第２の経路損失測定値との間の差の関数に少なくとも部分的に基づく、［２］に記載の方法。
［４］前記１つまたは複数の前記パラメータを受信することが、１つまたは複数の追加のアクセスポイントへの前記少なくとも１つのデバイスの１つまたは複数の追加の経路損失測定値を取得することをさらに備え、前記ＲｏＴを前記決定することが、前記第１の経路損失測定値と、前記第２の経路損失測定値および前記１つまたは複数の追加の経路損失測定値のうちの最小値との間の差の関数に少なくとも部分的に基づく、［２］に記載の方法。
［５］前記少なくとも１つのデバイスが、前記フェムトセルアクセスポイント内にコロケートされたネットワークリスニングモジュールである、［２］に記載の方法。
［６］少なくとも前記第１の経路損失測定値と前記第２の経路損失測定値とをトレーニング期間の一部として報告するように前記少なくとも１つのデバイスを構成することをさらに備える、［２］に記載の方法。
［７］前記フェムトセルアクセスポイントと通信しているデバイスの最大送信電力を決定することと、
前記最大送信電力に少なくとも部分的に基づいて別のＲｏＴしきい値を決定することとをさらに備える、［１］に記載の方法。
［８］前記ＲｏＴしきい値を前記設定することが、前記ＲｏＴしきい値を、前記ＲｏＴしきい値および前記別のＲｏＴしきい値のうちの最小値として設定することを備える、［７］に記載の方法。
［９］前記１つまたは複数のパラメータを前記受信することが、マクロセル内の前記フェムトセルアクセスポイントのロケーションを受信することを備え、前記ＲｏＴしきい値を前記決定することが、前記マクロセル内の前記フェムトセルアクセスポイントと１つまたは複数の他のアクセスポイントとの間で計算された距離に少なくとも部分的に基づく、［１］に記載の方法。
［１０］フェムトセルアクセスポイントのライズオーバサーマル（ＲｏＴ）しきい値を設定するための装置であって、
１つまたは複数のアクセスポイントに対応する１つまたは複数のパラメータを受信することと、
前記１つまたは複数のパラメータに少なくとも部分的に基づいて前記フェムトセルアクセスポイントのＲｏＴしきい値を決定することと、
前記フェムトセルアクセスポイントにおいて前記ＲｏＴしきい値を設定することとを行うように構成された少なくとも１つのプロセッサと、
前記少なくとも１つのプロセッサに結合されたメモリとを備える、装置。
［１１］前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備える、［１０］に記載の装置。
［１２］前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、前記少なくとも１つのプロセッサがさらに、前記追加の第１の経路損失測定値と前記追加の第２の経路損失測定値との間の差の関数に少なくとも部分的に基づく、［１１］に記載の装置。
［１３］前記少なくとも１つのプロセッサが、１つまたは複数の追加のアクセスポイントへの前記少なくとも１つのデバイスの１つまたは複数の追加の経路損失測定値を取得するようにさらに構成され、前記１つまたは複数のパラメータが前記１つまたは複数の追加の経路損失測定値を備える、［１１］に記載の装置。
［１４］前記少なくとも１つのデバイスが、前記フェムトセルアクセスポイントにコロケートされたネットワークリスニングモジュールである、［１１］に記載の装置。
［１５］フェムトセルアクセスポイントのライズオーバサーマル（ＲｏＴ）しきい値を設定するための装置であって、
１つまたは複数のアクセスポイントに対応する１つまたは複数のパラメータを受信するための手段と、
前記１つまたは複数のパラメータに少なくとも部分的に基づいて前記フェムトセルアクセスポイントのＲｏＴしきい値を決定するための手段と、
前記フェムトセルアクセスポイントにおいて前記ＲｏＴしきい値を設定するための手段とを備える、装置。
［１６］前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備える、［１５］に記載の装置。
［１７］前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、決定するための前記手段が、さらに前記追加の第１の経路損失測定値と前記追加の第２の経路損失測定値との間の差の関数に少なくとも部分的に基づいて前記ＲｏＴしきい値を決定する、［１６］に記載の装置。
［１８］受信するための前記手段が、１つまたは複数の追加のフェムトセルアクセスポイントへの前記少なくとも１つのデバイスの１つまたは複数の追加の経路損失測定値をさらに取得し、前記１つまたは複数のパラメータが前記１つまたは複数の追加の経路損失測定値をさらに備える、［１６］に記載の装置。
［１９］第１のアクセスポイントまたは前記第２のアクセスポイントからの１つまたは複数の信号を処理するための手段をさらに備え、前記少なくとも１つのデバイスが、処理するための前記手段を備える、［１６］に記載の装置。
［２０］フェムトセルアクセスポイントのライズオーバサーマル（ＲｏＴ）しきい値を設定するためのコンピュータプログラム製品であって、
少なくとも１つのコンピュータに、１つまたは複数のアクセスポイントに対応する１つまたは複数のパラメータを受信させるためのコードと、
前記少なくとも１つのコンピュータに、前記１つまたは複数のパラメータに少なくとも部分的に基づいて前記フェムトセルアクセスポイントのＲｏＴしきい値を決定させるためのコードと、
前記少なくとも１つのコンピュータに、前記フェムトセルアクセスポイントにおいて前記ＲｏＴしきい値を設定させるためのコードとを備えるコンピュータ可読媒体を備える、コンピュータプログラム製品。
［２１］前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備える、［２０］に記載のコンピュータプログラム製品。
［２２］前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、前記少なくとも１つのコンピュータに決定させるための前記コードが、さらに前記追加の第１の経路損失測定値と前記追加の第２の経路損失測定値との間の差の関数に少なくとも部分的に基づいて前記ＲｏＴしきい値を決定する、［２１］に記載のコンピュータプログラム製品。
［２３］前記コンピュータ可読媒体が、前記少なくとも１つのコンピュータに、１つまたは複数の追加のアクセスポイントへの前記少なくとも１つのデバイスの１つまたは複数の追加の経路損失測定値を取得させるためのコードをさらに備え、前記１つまたは複数のパラメータが前記１つまたは複数の追加の経路損失測定値を備える、［２１］に記載のコンピュータプログラム製品。
［２４］前記少なくとも１つのデバイスが、前記フェムトセルアクセスポイントにコロケートされたネットワークリスニングモジュールである、［２１］に記載のコンピュータプログラム製品。
［２５］フェムトセルアクセスポイントのライズオーバサーマル（ＲｏＴ）しきい値を設定するための装置であって、
１つまたは複数のアクセスポイントに対応する１つまたは複数のパラメータを受信するためのパラメータ受信構成要素と、
前記１つまたは複数のパラメータに少なくとも部分的に基づいて前記フェムトセルアクセスポイントのＲｏＴしきい値を決定するためのＲｏＴしきい値決定構成要素と、
前記フェムトセルアクセスポイントにおいて前記ＲｏＴしきい値を設定するためのＲｏＴしきい値設定構成要素とを備える、装置。
［２６］前記１つまたは複数のパラメータが、前記フェムトセルアクセスポイントへの少なくとも１つのデバイスの第１の経路損失測定値と、第２のアクセスポイントへの前記少なくとも１つのデバイスの第２の経路損失測定値とを備え、前記１つまたは複数のパラメータが前記第１の経路損失測定値と前記第２の経路損失測定値を備える、［２５］に記載の装置。
［２７］前記１つまたは複数のパラメータが、少なくとも別のデバイスから前記フェムトセルアクセスポイントへの追加の第１の経路損失測定値と、前記少なくとも別のデバイスから前記第２のアクセスポイントへの追加の第２の経路損失測定値とを備え、前記ＲｏＴしきい値決定構成要素が、さらに前記追加の第１の経路損失測定値と前記追加の第２の経路損失測定値との間の差の関数に少なくとも部分的に基づいて前記ＲｏＴしきい値を決定する、［２６］に記載の装置。
［２８］前記パラメータ受信構成要素が、１つまたは複数の追加のフェムトセルアクセスポイントへの前記少なくとも１つのデバイスの１つまたは複数の追加の経路損失測定値をさらに取得し、前記１つまたは複数のパラメータが前記１つまたは複数の追加の経路損失測定値をさらに備える、［２６］に記載の装置。
［２９］第１のアクセスポイントまたは前記第２のアクセスポイントからの１つまたは複数の信号を処理するためのネットワークリスニングモジュール（ＮＬＭ）構成要素をさらに備え、前記少なくとも１つのデバイスがＮＬＭ構成要素を備える、［２６］に記載の装置。
［３０］少なくとも前記第１の経路損失測定値と前記第２の経路損失測定値とをトレーニング期間の一部として報告するように前記少なくとも１つのデバイスを構成するための測定要求構成要素ことをさらに備える、［２６］に記載の装置。
［３１］前記パラメータ受信構成要素が、前記フェムトセルアクセスポイントと通信しているデバイスの最大送信電力を決定し、前記ＲｏＴしきい値決定構成要素が、前記最大送信電力に少なくとも部分的に基づいて別のＲｏＴしきい値を決定する、［２５］に記載の装置。
［３２］前記ＲｏＴしきい値決定構成要素が、前記ＲｏＴしきい値を、前記ＲｏＴしきい値を前記ＲｏＴしきい値および前記別のＲｏＴしきい値のうちの最小値として決定する、［３１］に記載の装置。
［３３］前記１つまたは複数のパラメータが、マクロセル内の前記フェムトセルアクセスポイントのロケーションを備え、前記ＲｏＴしきい値決定構成要素が、前記マクロセル内の前記フェムトセルアクセスポイントと１つまたは複数の他のアクセスポイントとの間で計算された距離に少なくとも部分的に基づいて前記ＲｏＴしきい値を決定する、［２５］に記載の装置。
［３４］干渉を決定することに基づいてアクセスポイントのパラメータを調整するための方法であって、
１つまたは複数のアクセスポイントの最も強い送信電力を検出することと、
前記最も強い送信電力がフェムトセルアクセスポイントにおいて利用される送信電力を超えるかどうかを決定することと、
前記最も強い送信電力が前記送信電力を超えるかどうかに少なくとも部分的に基づいて、前記フェムトセルアクセスポイントの推定雑音フロアを調整することとを備える、方法。
［３５］セル外干渉のレベルを推定することをさらに備え、前記推定雑音フロアを前記調整することがさらに、セル外干渉の前記レベルに少なくとも部分的に基づく、［３４］に記載の方法。
［３６］セル外干渉の前記レベルを前記推定することが、ある時間期間中に雑音を測定することを備える、［３５］に記載の方法。
［３７］前記最も強い送信電力が前記送信電力を超えるかどうかに少なくとも部分的に基づいて、前記フェムトセルアクセスポイントのライズオーバサーマルしきい値を調整することをさらに備える、［３４］に記載の方法。
［３８］前記推定雑音フロアを前記調整することが、ソフトハンドオーバにおいて異なるアクセスポイントによってサービスされる所与のデバイスについて、前記フェムトセルアクセスポイントの前記推定雑音フロアを調整することを備える、［３４］に記載の方法。
［３９］ソフトハンドオーバにおいて前記アクセスポイントによってサービスされるデバイスの識別子を要求することと、
前記要求に少なくとも部分的に基づいて、前記異なるアクセスポイントから前記所与のデバイスの識別子を受信することとをさらに備える、［３８］に記載の方法。
［４０］前記少なくとも１つのデバイスとの通信のために前記推定雑音フロアをエンフォースすることをさらに備える、［３４］に記載の方法。
［４１］干渉を決定することに基づいてアクセスポイントのパラメータを調整するための装置であって、
１つまたは複数のアクセスポイントの最も強い送信電力を検出することと、
前記最も強い送信電力がフェムトセルアクセスポイントにおいて利用される送信電力を超えるかどうかを決定することと、
前記最も強い送信電力が前記送信電力を超えるかどうかに少なくとも部分的に基づいて、前記フェムトセルアクセスポイントの雑音フロアを調整することとを行うように構成された少なくとも１つのプロセッサと、
前記少なくとも１つのプロセッサに結合されたメモリとを備える、装置。
［４２］前記少なくとも１つのプロセッサが、セル外干渉のレベルを推定するようにさらに構成され、前記少なくとも１つのプロセッサが、さらにセル外干渉の前記レベルに少なくとも部分的に基づいて前記雑音フロアを調整する、［４１］に記載の装置。
［４３］前記少なくとも１つのプロセッサは、前記最も強い送信電力が前記送信電力を超えるかどうかに少なくとも部分的に基づいて、前記フェムトセルアクセスポイントのライズオーバサーマルしきい値を調整するようにさらに構成された、［４１］に記載の装置。
［４４］前記少なくとも１つのプロセッサが、ソフトハンドオーバにおいて異なるアクセスポイントによってサービスされる所与のデバイスについて、前記フェムトセルアクセスポイントの前記雑音フロアを調整する、［４１］に記載の方法。
［４５］前記少なくとも１つのプロセッサが、ソフトハンドオーバにおいて前記アクセスポイントによってサービスされるデバイスの識別子を要求し、前記要求に少なくとも部分的に基づいて、前記異なるアクセスポイントから前記所与のデバイスの識別子を受信するようにさらに構成された、［４４］に記載の装置。
［４６］干渉を決定することに基づいてアクセスポイントのパラメータを調整するための装置であって、
１つまたは複数のアクセスポイントの最も強い送信電力を検出するための手段と、
前記最も強い送信電力が前記フェムトセルアクセスポイントの送信電力を超えるかどうかを決定することに少なくとも部分的に基づいて、フェムトセルアクセスポイントの雑音フロアを調整するための手段とを備える、装置。
［４７］検出するための前記手段が、セル外干渉のレベルをさらに推定し、調整するための前記手段が、さらにセル外干渉の前記レベルに少なくとも部分的に基づいて前記雑音フロアを調整する、［４６］に記載の装置。
［４８］前記最も強い送信電力が前記送信電力を超えるかどうかに少なくとも部分的に基づいて、前記フェムトセルアクセスポイントのライズオーバサーマルしきい値を調整するための手段をさらに備える、［４６］に記載の装置。
［４９］調整するための前記手段が、ソフトハンドオーバにおいて異なるアクセスポイントによってサービスされる所与のデバイスについて、前記フェムトセルアクセスポイントの前記雑音フロアを調整する、［４６］に記載の装置。
［５０］ソフトハンドオーバにおいて前記アクセスポイントによってサービスされるデバイスの識別子を要求し、前記要求に少なくとも部分的に基づいて、前記異なるアクセスポイントから前記所与のデバイスの識別子を受信するための手段をさらに備える、［４９］に記載の装置。
［５１］干渉を決定することに基づいてアクセスポイントのパラメータを調整するためのコンピュータプログラム製品であって、
少なくとも１つのコンピュータに、１つまたは複数のアクセスポイントの最も強い送信電力を検出させるためのコードと、
前記少なくとも１つのコンピュータに、前記最も強い送信電力がフェムトセルアクセスポイントにおいて利用される送信電力を超えるかどうかを決定させるためのコードと、
前記少なくとも１つのコンピュータに、前記最も強い送信電力が前記送信電力を超えるかどうかに少なくとも部分的に基づいて、前記フェムトセルアクセスポイントの雑音フロアを調整させるためのコードとを備えるコンピュータ可読媒体を備える、コンピュータプログラム製品。
［５２］前記コンピュータ可読媒体が、前記少なくとも１つのコンピュータにセル外干渉のレベルを推定させるためのコードをさらに備え、前記少なくとも１つのコンピュータに調整させるための前記コードが、さらにセル外干渉の前記レベルに少なくとも部分的に基づいて前記雑音フロアを調整する、［５１］に記載のコンピュータプログラム媒体。
［５３］前記コンピュータ可読媒体は、前記少なくとも１つのコンピュータに、前記最も強い送信電力が前記送信電力を超えるかどうかに少なくとも部分的に基づいて、前記フェムトセルアクセスポイントのライズオーバサーマルしきい値を調整させるためのコードをさらに備える、［５１］に記載のコンピュータプログラム媒体。
［５４］前記少なくとも１つのコンピュータに調整させるための前記コードが、ソフトハンドオーバにおいて異なるアクセスポイントによってサービスされる所与のデバイスについて、前記フェムトセルアクセスポイントの前記雑音フロアを調整する、［５１］に記載のコンピュータプログラム媒体。
［５５］前記コンピュータ可読媒体が、前記少なくとも１つのコンピュータに、ソフトハンドオーバにおいて前記アクセスポイントによってサービスされるデバイスの識別子を要求させ、前記要求に少なくとも部分的に基づいて、前記異なるアクセスポイントから前記所与のデバイスの識別子を受信させるためのコードをさら備える、［５４］に記載のコンピュータプログラム媒体。
［５６］干渉を決定することに基づいてアクセスポイントのパラメータを調整するための装置であって、
１つまたは複数のアクセスポイントの最も強い送信電力を検出するための干渉決定構成要素と、
前記最も強い送信電力がフェムトセルアクセスポイントの送信電力を超えるかどうかを決定することに少なくとも部分的に基づいて、前記フェムトセルアクセスポイントの雑音フロアを調整するための雑音フロア調整構成要素とを備える、装置。
［５７］前記干渉決定構成要素がセル外干渉のレベルをさらに推定し、前記雑音フロア調整構成要素が、さらにセル外干渉の前記レベルに少なくとも部分的に基づいて前記雑音フロアを調整する、［５６］に記載の装置。
［５８］前記干渉決定構成要素が、少なくとも部分的に、ある時間期間中に雑音を測定することによってセル外干渉の前記レベルを推定する、［５７］に記載の装置。
［５９］前記最も強い送信電力が前記送信電力を超えるかどうかに少なくとも部分的に基づいて、前記フェムトセルアクセスポイントのＲｏＴしきい値を調整するためのライズオーバサーマル（ＲｏＴ）しきい値調整構成要素をさらに備える、［５６］に記載の方法。
［６０］前記雑音フロア調整構成要素が、ソフトハンドオーバにおいて異なるアクセスポイントによってサービスされる所与のデバイスについて、前記フェムトセルアクセスポイントの前記雑音フロアを調整する、［５６］に記載の装置。
［６１］ソフトハンドオーバ（ＳＨＯ）において前記アクセスポイントによってサービスされるデバイスの識別子を要求し、前記要求に少なくとも部分的に基づいて、前記異なるアクセスポイントから前記所与のデバイスの識別子を受信するためのＳＨＯデバイス要求構成要素をさらに備える、［６０］に記載の装置。
［６２］前記雑音フロア調整構成要素が、前記雑音フロアを少なくとも１つのデバイスに報告する、［５６］に記載の装置。
【外国語明細書】
2014239498000001.pdf